(57)【要約】      （修正有）【課題】スペクトル・エミッション・マスク、または、オプション・システム・パラメータ値における変化に対するサポートを動的に提供する。【解決手段】第１のネットワーク・シグナル値および第２のネットワーク・シグナル値を生成することと、第１のネットワーク・シグナル値および第２のネットワーク・シグナル値を、少なくとも１つのモバイル・デバイスへ送信することと、を含む方法が提供される。第１のネットワーク・シグナル値および第２のネットワーク・シグナル値をアクセス・ポイントから取得することと、ネットワークにおける通信のために、第１のネットワーク・シグナル値または第２のネットワーク・シグナル値を、優先度に応じて適用することと、に関連する命令群を保持するメモリを備える通信装置も提供される。さらに、必須のネットワーク・シグナル値とは別に利用されうる、オプション・ネットワーク・シグナル値も提供される。【選択図】図１
2014212546.tif 000002
【特許請求の範囲】
【請求項１】
方法であって、
アクセス・ポイントから、第１のネットワーク・シグナル値および第２のネットワーク・シグナル値を受信することと、
前記第１のネットワーク・シグナル値または前記第２のネットワーク・シグナル値を優先度に応じて利用することと、ここで、前記第１のネットワーク・シグナル値は、必須の値であり、前記第２のネットワーク・シグナル値は、オプションの値である、
を備える方法。
【請求項２】
前記利用することは、前記第２のネットワーク・シグナル値を、前記第１のネットワーク・シグナル値とともに、または、代わりに利用することを備える、請求項１に記載の方法。
【請求項３】
前記第２のネットワーク・シグナル値を利用することは、前記第２のネットワーク・シグナル値を、前記第１のネットワーク・シグナル値よりも高く優先度付けることを備える、請求項２に記載の方法。
【請求項４】
前記第２のネットワーク・シグナル値を利用する前に、前記第１のネットワーク・シグナル値がサポートされていないことを判定することをさらに備える、請求項２に記載の方法。
【請求項５】
前記第２のネットワーク・シグナル値に関連付けられた優先度を決定することと、
受信された複数のオプション・ネットワーク・シグナル値から、前記優先度に基づいて、前記第２のネットワーク・シグナル値を選択することと、
をさらに備える、請求項１に記載の方法。
【請求項６】
前記決定することは、前記優先度を、シグナルされた優先度値から決定することを備える、請求項５に記載の方法。
【請求項７】
前記決定することは、前記優先度を、シグナリング構造に基づいて決定することを備える、請求項５に記載の方法。
【請求項８】
前記受信された複数のオプション・ネットワーク・シグナル値は、サポートされている第２のネットワーク・シグナル値のセットを備える、請求項５に記載の方法。
【請求項９】
前記第２のネットワーク・シグナル値は、付加的な、オプションの、スペクトル・エミッション・マスク（ＳＥＭ）に関連する、請求項１に記載の方法。
【請求項１０】
通信装置であって、
アクセス・ポイントから、第１のネットワーク・シグナル値および第２のネットワーク・シグナル値を取得することと、
通信ネットワークにおける通信のために、前記第１のネットワーク・シグナル値または前記第２のネットワーク・シグナル値を、優先度に応じて適用することと、ここで、前記第１のネットワーク・シグナル値は、必須の値であり、前記第２のネットワーク・シグナル値は、オプションの値である、
に関連する命令群を保持するメモリと、
前記メモリに接続され、前記メモリに保持された命令群を実行するように構成されたプロセッサと、
を備える通信装置。
【請求項１１】
前記メモリはさらに、前記第２のネットワーク・シグナル値を、前記第１のネットワーク・シグナル値の代わりとして利用することに関連する命令群をさらに備える、請求項１０に記載の通信装置。
【請求項１２】
前記メモリはさらに、前記第２のネットワーク・シグナル値に、前記第１のネットワーク・シグナル値よりも高い優先度を割り当てることに関連する命令群を保持する、請求項１１に記載の通信装置。
【請求項１３】
前記メモリはさらに、前記第１のネットワーク・シグナル値がサポートされていない場合、前記第２のネットワーク・シグナル値を利用することに関連する命令群を備える、請求項１１に記載の通信装置。
【請求項１４】
前記メモリはさらに、
前記第２のネットワーク・シグナル値に関連付けられた優先度を決定することと、
受信された複数のオプション・ネットワーク・シグナル値から、前記優先度に基づいて、前記第２のネットワーク・シグナル値を選択することと、ここで、前記受信された複数のオプション・ネットワーク・シグナル値は、サポートされている第２のネットワーク・シグナル値のセットを備える、
に関連する命令群を保持する、請求項１０に記載の通信装置。
【請求項１５】
前記メモリはさらに、前記優先度を、シグナルされた優先度値に基づいて決定することに関連する命令群を保持する、請求項１０に記載の通信装置。
【請求項１６】
前記メモリはさらに、前記優先度を、シグナリング構造に基づいて決定することに関連する命令群を保持する、請求項１０に記載の通信装置。
【請求項１７】
オプション・システム・パラメータ値をサポートする通信装置であって、
アクセス・ポイントから、第１のネットワーク・シグナル値および第２のネットワーク・シグナル値を受信する手段と、
前記第１のネットワーク・シグナル値または前記第２のネットワーク・シグナル値を、優先度に応じて利用する手段とを備え、
前記第１のネットワーク・シグナル値は、必須の値であり、前記第２のネットワーク・シグナル値は、オプションの値であり、前記第２のネットワークは、前記第１のネットワーク・シグナル値よりも高い優先度が割り当てられる、通信装置。
【請求項１８】
前記利用する手段は、前記第１のネットワーク・シグナル値の代わりに、前記第２のネットワーク・シグナル値を用いる手段を備える、請求項１７に記載の通信装置。
【請求項１９】
前記第２のネットワーク・シグナル値に関連付けられた優先度を決定する手段と、
受信された複数のオプション・ネットワーク・シグナル値から、前記優先度に基づいて、前記第２のネットワーク・シグナル値を選択する手段とをさらに備え、
前記受信された複数のオプション・ネットワーク・シグナル値は、サポートされている第２のネットワーク・シグナル値のセットを備える、請求項１７に記載の通信装置。
【請求項２０】
前記決定する手段は、前記優先度を、シグナルされた優先度値から、または、シグナリング構造に基づいて決定する手段を備える、請求項１７に記載の通信装置。
【請求項２１】
コンピュータ・プログラム製品であって、
コンピュータに対して、アクセス・ポイントから、第１のネットワーク・シグナル値および第２のネットワーク・シグナル値を取得させるための第１のコードのセットと、
前記コンピュータに対して、優先度に応じて、前記第１のネットワーク・シグナル値または前記第２のネットワーク・シグナル値を適用させるための第２のコードのセットと、ここで、第１のネットワーク・シグナル値は、必須の値であり、第２のネットワーク・シグナル値は、オプションの値である、
を備えるコンピュータ読取可能媒体を備える、コンピュータ・プログラム製品。
【請求項２２】
前記コンピュータ読取可能媒体はさらに、
前記コンピュータに対して、前記第１のネットワーク・シグナル値とともに、または、その代わりに、前記第２のネットワーク・シグナル値を利用させるための第３のコードのセットを備える、請求項２１に記載のコンピュータ・プログラム製品。
【請求項２３】
前記コンピュータ読取可能媒体はさらに、
前記コンピュータに対して、前記第２のネットワーク・シグナル値に関連付けられた優先度を決定させるための第３のコード・セットと、
前記コンピュータに対して、サポートされている第２のネットワーク・シグナル値のセットを備える前記第２のネットワーク・シグナル値を、受信された複数のオプション・ネットワーク・シグナル値から、前記優先度に基づいて選択させるための第４のコード・セットと、
を備える請求項２１に記載のコンピュータ・プログラム製品。
【請求項２４】
オプション・システム・パラメータ値をサポートするように構成された少なくとも１つのプロセッサであって、
アクセス・ポイントから、第１のネットワーク・シグナル値および第２のネットワーク・シグナル値を受信する第１のモジュールと、
優先度に応じて、前記第１のネットワーク・シグナル値または前記第２のネットワーク・シグナル値を利用する第２のモジュールとを備え、
前記第１のネットワーク・シグナル値は、必須の値であり、前記第２のネットワーク・シグナル値は、オプションの値であり、前記第１のネットワーク・シグナル値がサポートされていない場合、前記第２のネットワーク・シグナル値が利用される、少なくとも１つのプロセッサ。
【請求項２５】
前記第２のネットワーク・シグナル値に関連付けられた優先度を決定する第３のモジュールと、
受信された複数のオプション・ネットワーク・シグナル値から、前記優先度に基づいて、前記第２のネットワーク・シグナル値を選択する第４のモジュールと、
をさらに備える請求項２４に記載の少なくとも１つのプロセッサ。
【請求項２６】
方法であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することとを備え、
前記第１のネットワーク・シグナル値は、必須の値であり、前記第２のネットワーク・シグナル値は、オプションの値である、方法。
【請求項２７】
前記生成することは、
複数のモバイル・デバイスのために前記第１のネットワーク・シグナル値を生成することと、
前記複数のモバイル・デバイスのサブセットのために前記第２のネットワーク・シグナル値を生成することとを備える、請求項２６に記載の方法。
【請求項２８】
前記第１のネットワーク・シグナル値が、モバイル・デバイスの第１のセットによってサポートされていることと、前記第２のネットワーク・シグナル値が、モバイル・デバイスの第２のセットによってサポートされていることとを判定することをさらに備え、
前記送信することは、前記モバイル・デバイスの第１のセットと、前記モバイル・デバイスの第２のセットとを備える複数のモバイル・デバイスへ、前記第１のネットワーク・シグナル値と前記第２のネットワーク・シグナル値とを送信することを備える、請求項２６に記載の方法。
【請求項２９】
前記第２のネットワーク・シグナル値に関連する優先度を定義することと、
前記少なくとも１つのモバイル・デバイスに前記優先度を送信することと
をさらに備える、請求項２６に記載の方法。
【請求項３０】
前記定義することは、メッセージ構造を確立することを備え、ここで、前記優先度は、前記メッセージ構造において暗黙的である、請求項２９に記載の方法。
【請求項３１】
前記定義することは、前記第１のネットワーク・シグナル値に割り当てられた優先度よりも高い優先度を、前記第２のネットワーク・シグナル値に割り当てることを備える、請求項２９に記載の方法。
【請求項３２】
少なくとも第３のネットワーク・シグナル値を、前記少なくとも１つのモバイル・デバイスへ伝送することをさらに備える、請求項２６に記載の方法。
【請求項３３】
前記第２のネットワーク・シグナル値は、付加的な、オプションの、スペクトル・エミッション・マスク（ＳＥＭ）に関連する、請求項２６に記載の方法。
【請求項３４】
通信装置であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、
に関連する命令群を保持するメモリと、
前記メモリに接続され、前記メモリに保持された命令群を実行するように構成されたプロセッサと
を備える通信装置。
【請求項３５】
前記メモリはさらに、
複数のモバイル・デバイスのために前記第１のネットワーク・シグナル値を生成することと、
前記複数のモバイル・デバイスのサブセットのために前記第２のネットワーク・シグナル値を生成することと、
に関連する命令群を保持する、請求項３４に記載の通信装置。
【請求項３６】
前記メモリはさらに、
前記第２のネットワーク・シグナル値に関連する優先度を定義することと、
前記少なくとも１つのモバイル・デバイスに前記優先度を送信することと
に関連する命令群を保持する、請求項３４に記載の通信装置。
【請求項３７】
前記メモリはさらに、前記第１のネットワーク・シグナル値に割り当てられた優先度よりも高い優先度を、前記第２のネットワーク・シグナル値に割り当てることに関連する命令群を保持する、請求項３４に記載の通信装置。
【請求項３８】
前記メモリはさらに、メッセージ構造を確立すること、ここで、優先度は、前記メッセージ構造において暗黙的である、に関連する命令群を保持する、請求項３５に記載の通信装置。
【請求項３９】
前記メモリはさらに、少なくとも第３のネットワーク・シグナル値を、前記少なくとも１つのモバイル・デバイスへ伝送することに関連する命令群を保持する、請求項３５に記載の通信装置。
【請求項４０】
オプション・システム・パラメータ値をサポートする通信装置であって、
第１のネットワーク・シグナル値および第２のネットワーク・シグナル値を生成する手段と、
前記第１のネットワーク・シグナル値および前記第２のネットワーク・シグナル値を、少なくとも１つのモバイル・デバイスへ送信する手段とを備え、
前記第１のネットワーク・シグナル値は、必須の値であり、前記第２のネットワーク・シグナル値は、オプションの値である、通信装置。
【請求項４１】
前記生成する手段は、複数のモバイル・デバイスのための前記第１のネットワーク・シグナル値と、複数のモバイル・デバイスのサブセットのための前記第２のネットワーク・シグナル値とを生成する手段を備える、請求項４０に記載の通信装置。
【請求項４２】
前記第２のネットワーク・シグナル値に関連する優先度を定義する手段と、
前記少なくとも１つのモバイル・デバイスに前記優先度を送る手段と
をさらに備える、請求項４０に記載の通信装置。
【請求項４３】
前記定義する手段は、メッセージ構造を確立する手段を備え、ここで、優先度は、前記メッセージ構造において暗黙的である、請求項４０に記載の通信装置。
【請求項４４】
コンピュータ・プログラム製品であって、
コンピュータに対して、第１のネットワーク・シグナル値および第２のネットワーク・シグナル値を生成させるための第１のコードのセットと、
前記コンピュータに対して、前記第１のネットワーク・シグナル値および前記第２のネットワーク・シグナル値を、少なくとも１つのモバイル・デバイスへ送信させるための第２のコードのセットと、ここで、前記第１のネットワーク・シグナル値は、必須の値であり、前記第２のネットワーク・シグナル値は、オプションの値である、
を備えるコンピュータ読取可能媒体を備える、コンピュータ・プログラム製品。
【請求項４５】
前記コンピュータ読取可能媒体はさらに、前記コンピュータに対して、複数のモバイル・デバイスのために前記第１のネットワーク・シグナル値を生成させ、前記複数のモバイル・デバイスのサブセットのために前記第２のネットワーク・シグナル値を生成させるための第３のコードのセットを備える、請求項４４に記載のコンピュータ・プログラム製品。
【請求項４６】
前記コンピュータ読取可能媒体はさらに、
前記コンピュータに対して、前記第２のネットワーク・シグナル値に関連する優先度を定義させるための第３のコードのセットと、
前記コンピュータに対して、前記少なくとも１つのモバイル・デバイスへ前記優先度を送信させるための第４のコードのセットと
を備える、請求項４４に記載のコンピュータ・プログラム製品。
【請求項４７】
前記コンピュータ読取可能媒体はさらに、
前記コンピュータに対して、メッセージ構造を確立させるための第３のコードのセットを備え、ここで、優先度は、前記メッセージ構造において暗黙的である、請求項４４に記載のコンピュータ・プログラム製品。
【請求項４８】
オプション・システム・パラメータ値をサポートするように構成された少なくとも１つのプロセッサであって、
第１のネットワーク・シグナル値および第２のネットワーク・シグナル値を定義する第１のモジュールと、
前記第１のネットワーク・シグナル値および前記第２のネットワーク・シグナル値を、少なくとも１つのモバイル・デバイスへ送信する第２のモジュールとを備え、
前記第１のネットワーク・シグナル値は、必須の値であり、前記第２のネットワーク・シグナル値は、オプションの値である、少なくとも１つのプロセッサ。
【請求項４９】
前記第１のモジュールは、複数のモバイル・デバイスのための前記第１のネットワーク・シグナル値を生成し、前記複数のモバイル・デバイスのサブセットのための前記第２のネットワーク・シグナル値を生成する、請求項４８に記載の少なくとも１つのプロセッサ。
【請求項５０】
前記第２のネットワーク・シグナル値に関連する優先度を割り当てる第３のモジュールと、
前記優先度を、前記少なくとも１つのモバイル・デバイスへ伝送する第４のモジュールとをさらに備える、請求項４８に記載の少なくとも１つのプロセッサ。
【発明の詳細な説明】
【相互参照】
【０００１】
これは、本願の譲受人に譲渡され、本明細書において参照によって明確に組み込まれている２００９年７月３１日出願の「オプション・システム・パラメータ値のためのサポート」（SUPPORT FOR OPTIONAL SYSTEM PARAMETER VALUES）と題された米国仮出願６１／２３０，３５３号に対する優先権を主張する出願である。
【技術分野】
【０００２】
以下の説明は、一般に、無線通信システムに関し、さらに詳しくは、ネットワーク・シグナル値の通信に関する。
【背景技術】
【０００３】
無線通信システムは、例えば音声、データ、ビデオ等のようなさまざまなタイプの通信を提供し、ユーザがどこに（例えば、建物の内部または外部など）位置していようと、ユーザが静止していようと、（例えば、車や徒歩で）移動していようと、情報を通信するように広く展開されている。これらのシステムは、利用可能なシステム・リソース（例えば、帯域幅および送信電力）を共有することにより、複数のユーザとの通信をサポートすることができる多元接続システムでありうる。多元接続システムは、周波数分割多元接続（ＦＤＭＡ）システム、時分割多元接続（ＴＤＭＡ）システム、符号分割多元接続（ＣＤＭＡ）システム、および直交周波数分割多元接続（ＯＦＤＭＡ）システム、第３世代ロング・ターム・イボリューション（ＬＴＥ）システム、およびその他を含む。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわちダウンリンク）は、基地局からモバイル・デバイスへの通信リンクを称する。逆方向リンク（すなわちアップリンク）は、モバイル・デバイスから基地局への通信リンクを称する。これら通信リンクは、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
直交周波数分割多重化（ＯＦＤＭ）通信システムは、システム帯域全体を、周波数サブ・チャネル、トーン、または周波数ビンとも称される、複数のサブキャリアへと効率的に分割する。ＯＦＤＭシステムの場合、送信されるべきデータ（例えば、情報ビット）は、まず、特定の符号化スキームを用いて符号化され、符号化されたビットが生成される。そして、符号化されたビットはさらに、複数のビット・シンボルへグループ化される。これらはその後、変調シンボルへマップされる。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【０００６】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されたＭＩＭＯチャネルは、空間チャネルとも称されるＮｚ個の独立したチャネルへ分解されうる。一般に、Ｎｚ個の独立したチャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから、順方向リンク・チャネルの推定が可能となるように、順方向リンク送信と逆方向リンク送信とが同じ周波数領域にある。これによって、アクセス・ポイントは、アクセス・ポイントにおいて複数のアンテナが利用可能である場合、順方向リンクで、ビームフォーミング利得を送信できるようになる。
【０００７】
さらに、同じ周波数帯域内で動作する通信システム間の共存をサポートするために、スペクトル・エミッション・マスク（ＳＥＭ）が、例えば３ＧＰＰのような無線規格において定義されている。ある帯域では、いくつかの既存のシステムは、より厳しい干渉要件を有しているので、無線規格は、通常定義されたもの以外のＳＥＭをサポートしうる。例えば、３ＧＰＰでは、追加のＳＥＭが、ネットワーク・シグナル（ＮＳ）値（例えばＮＳ＿０１ｘ）のようなシステム情報ブロック（ＳＩＢ）メッセージで、ネットワークによってシグナルされる。このＳＩＢを受信して復号するモバイル・デバイスは、このＮＳ値にしたがってエミッションを調節する。現在のシステムでは、定義されたＮＳ値のサポートは、スペクトルで動作する（例えば、周波数帯域をサポートする）すべてのデバイスに対して必須である。
【０００８】
さらに、ＳＥＭ（および、一般に、システム・パラメータ）をシグナリングする現在の手順は、ＳＩＢの情報要素（ＩＥ）で、システム・パラメータのベース値（例えば、主要値）および付加的な値のシグナリングをサポートする。このような手順は、付加的な値は、ベース値の補強された値またはサブセットであり、ベース値としてシグナルされることはないと仮定する。
【発明の概要】
【０００９】
以下は、１または複数の態様の基本的な理解を与えるために、そのような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【００１０】
１または複数の態様および対応する開示によれば、さまざまな態様が、アクセス・ポイントから、第１のネットワーク・シグナル値および第２のネットワーク・シグナル値を受信することを備える方法に関連して記載される。方法はさらに、第１のネットワーク・シグナル値または第２のネットワーク・シグナル値を優先度に応じて利用することを備える。第１のネットワーク・シグナル値は、必須の値であり、第２のネットワーク・シグナル値は、オプションの値である。
【００１１】
別の態様は、メモリとプロセッサとを備える通信装置に関する。メモリは、アクセス・ポイントから、第１のネットワーク・シグナル値と、第２のネットワーク・シグナル値とを取得することと、ネットワークにおける通信のために、第１のネットワーク・シグナル値または第２のネットワーク・シグナル値を、優先度に応じて適用することと、に関連する命令群を保持する。第１のネットワーク・シグナル値は、必須の値であり、第２のネットワーク・シグナル値は、オプションの値である。プロセッサは、メモリに接続され、メモリに保持された命令群を実行するように構成される。
【００１２】
さらなる態様は、オプション・システム・パラメータ値をサポートする通信装置に関する。通信装置は、アクセス・ポイントから、第１のネットワーク・シグナル値および第２のネットワーク・シグナル値を受信する手段を備える。通信装置はまた、第１のネットワーク・シグナル値または第２のネットワーク・シグナル値を優先度に応じて利用する手段を備える。第１のネットワーク・シグナル値は、必須の値であり、第２のネットワーク・シグナル値は、オプションの値であり、第２のネットワーク・シグナル値は、第１のネットワーク・シグナル値よりも高い優先度が割り当てられる。いくつかの態様によれば、利用する手段は、第１のネットワーク・シグナル値の代わりに、第２のネットワーク・シグナル値を用いる手段を備える
いくつかの態様によれば、通信装置は、第２のネットワーク・シグナル値に関連付けられた優先度を決定する手段と、この優先度に基づいて、受信された複数のオプション・ネットワーク・シグナル値から、第２のネットワーク・シグナル値を選択する手段と、を備え、受信された複数のオプション・ネットワーク・シグナル値は、サポートされている第２のネットワーク・シグナル値のセットを備える。態様では、決定する手段は、シグナルされた優先度値から、優先度を決定する手段を備える。別の態様では、決定する手段は、シグナリング構造に基づいて、優先度を決定する手段を備える。
【００１３】
別の態様は、コンピュータ読取可能媒体を備えるコンピュータ・プログラム製品に関する。コンピュータ読取可能媒体には、コンピュータに対して、アクセス・ポイントから、第１のネットワーク・シグナル値および第２のネットワーク・シグナル値を取得させるための第１のコードのセットが含まれる。さらに、コンピュータ読取可能媒体には、コンピュータに対して、第１のネットワーク・シグナル値または第２のネットワーク・シグナル値を優先度に応じて適用させるための第２のコードのセットが含まれる。第１のネットワーク・シグナル値は、必須の値であり、第２のネットワーク・シグナル値は、オプションの値である。
【００１４】
さらに別の態様は、オプション・システム・パラメータ値をサポートするように構成された少なくとも１つのプロセッサに関する。少なくとも１つのプロセッサは、アクセス・ポイントから、第１のネットワーク・シグナル値および第２のネットワーク・シグナル値を受信する、第１のモジュールを備える。少なくとも１つのプロセッサは、第１のネットワーク・シグナル値または第２のネットワーク・シグナル値を優先度に応じて利用する、第２のモジュールをも備える。第１のネットワーク・シグナル値は、必須の値であり、第２のネットワーク・シグナル値は、オプションの値である。
【００１５】
さらに別の態様は、第１のネットワーク・シグナル値および第２のネットワーク・シグナル値を生成することを備える方法に関する。方法はまた、第１のネットワーク・シグナル値および第２のネットワーク・シグナル値を、少なくとも１つのモバイル・デバイスへ送信することを備える。第１のネットワーク・シグナル値は、必須の値であり、第２のネットワーク・シグナル値は、オプションの値である。
【００１６】
別の態様は、メモリとプロセッサとを備える通信装置に関する。メモリは、第１のネットワーク・シグナル値および第２のネットワーク・シグナル値を生成することと、第１のネットワーク・シグナル値および第２のネットワーク・シグナル値を、少なくとも１つのモバイル・デバイスへ送信すること、に関連する命令群を保持する。第１のネットワーク・シグナル値は、必須の値であり、第２のネットワーク・シグナル値は、オプションの値である。プロセッサは、メモリに接続され、メモリに保持された命令群を実行するように構成される。
【００１７】
さらなる態様は、オプション・システム・パラメータ値をサポートする通信装置に関する。通信装置は、第１のネットワーク・シグナル値および第２のネットワーク・シグナル値を生成する手段を備える。通信装置はまた、第１のネットワーク・シグナル値および第２のネットワーク・シグナル値を、少なくとも１つのモバイル・デバイスへ送信する手段を備え、ここで、第１のネットワーク・シグナル値は、必須の値であり、第２のネットワーク・シグナル値は、オプションの値である。態様では、生成する手段は、複数のモバイル・デバイスのための第１のネットワーク・シグナル値と、複数のモバイル・デバイスのサブセットのための第２のネットワーク・シグナル値とを生成する手段を備える。
【００１８】
いくつかの態様によれば、通信装置は、第２のネットワーク・シグナル値に関連する優先度を定義する手段と、少なくとも１つのモバイル・デバイスに優先度を送る手段とを備える。定義する手段は、メッセージ構造を確立する手段を備える。ここで、優先度は、メッセージ構造において暗黙的である。
【００１９】
さらなる態様は、コンピュータ読取可能媒体を備えるコンピュータ・プログラム製品に関する。コンピュータ読取可能媒体には、コンピュータに対して、第１のネットワーク・シグナル値および第２のネットワーク・シグナル値を生成させるための第１のコードのセットが含まれる。さらにコンピュータ読取可能媒体には、コンピュータに対して、第１のネットワーク・シグナル値および第２のネットワーク・シグナル値を、少なくとも１つのモバイル・デバイスへ送信させるための第２のコードのセットが含まれる。ここで、第１のネットワーク・シグナル値は、必須の値であり、第２のネットワーク・シグナル値は、オプションの値である。
【００２０】
さらに別の態様は、オプション・システム・パラメータ値をサポートするように構成された少なくとも１つのプロセッサに関する。少なくとも１つのプロセッサは、第１のネットワーク・シグナル値および第２のネットワーク・シグナル値を定義する第１のモジュールを備える。少なくとも１つのプロセッサはまた、第１のネットワーク・シグナル値および第２のネットワーク・シグナル値を、少なくとも１つのモバイル・デバイスへシグナルする第２のモジュールを備える。第１のネットワーク・シグナル値は、必須の値であり、第２のネットワーク・シグナル値は、オプションの値である。
【００２１】
前述した目的および関連する目的を達成するために、１または複数の態様は、後に十分説明され、特許請求の範囲で特に指摘される特徴を備える。以下の記載および添付図面は、１または複数の態様のある例示的な特徴を詳細に記載する。しかしながら、これらの特徴は、さまざまな態様の原理が適用されるさまざまな方式のうちのわずかを示すにすぎない。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００２２】
【図１】図１は、態様にしがたって、オプション・システム・パラメータ値をサポートするシステムを図示する。
【図２】図２は、態様にしたがって、ネットワーク・シグナル値の通信を容易にするシステムを図示する。
【図３】図３は、態様にしたがって、オプション・ネットワーク・シグナル値のサポートのための方法を図示する。
【図４】図４は、態様にしたがって、オプション・ネットワーク・シグナル値のサポートを容易にする方法を図示する。
【図５】図５は、開示された態様の１または複数にしたがって、オプション・システム・パラメータ値のためのサポートを容易にするシステムを図示する。
【図６】図６は、本明細書に示されたさまざまな態様にしたがって、通信ネットワークにおける１または複数のモバイル・デバイスへのオプション・システム・パラメータ値の送信を容易にするシステムを図示する。
【図７】図７は、態様にしたがって、無線通信ネットワークにおける通信のために、複数のオプション・システム・パラメータ値を受信し、これら値のうちの少なくとも１つを利用するシステムの例を図示する。
【図８】図８は、態様にしたがって、複数のネットワーク・シグナル値を、複数のモバイル・デバイスへ伝送するシステムの例を図示する。
【図９】図９は、１または複数の態様にしたがう多元接続無線通信システムを図示する。
【図１０】図１０は、態様にしたがう無線通信システムの例を図示する。
【発明を実施するための形態】
【００２３】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、これら態様の記載を容易にするために、周知の構成およびデバイスが、ブロック図形式で示される。
【００２４】
図１を参照して、態様にしたがって、オプション・システム・パラメータ値をサポートするシステム１００が例示されている。システム１００は、システム・パラメータを使用するための柔軟性を提供しうる。例えば、従来のシステムは、スペクトル・エミッション・マスクの、必須な値しかサポートしない。１または複数のエミッション・マスク制約が変化する場合、この静的なサポートは、後に問題となりうる。システム１００は、スペクトル・エミッション・マスク、または、オプション・システム・パラメータ値における変化に対するサポートを動的に提供するように構成される。これは、柔軟性があり、かつ、下位互換性を持つ方式でサポートを提供しうる。システム１００は、１または複数のオプション・システム・パラメータ値（または、スペクトル・エミッション・マスク値）を利用しうる。これは、個別に、一緒に、古い値とともに、あるいはこれらの組み合わせで使用されうる。
【００２５】
ＬＴＥを参照して、ＬＴＥ用語を用いて記述されるある態様が、これら態様を説明する目的のために使用されているが、開示された態様は、ＬＴＥに限定されず、その他の実施もまた可能であることが注目されるべきである。
【００２６】
システム１００は、モバイル・デバイス１０４と通信するアクセス・ポイント１０２を含んでいる。システム１００には多くのアクセス・ポイント１０４およびモバイル・デバイス１０４が含まれうるが、認識されるように、簡略のために、単一のモバイル・デバイス１０４と通信データ・シグナルを交換する単一のアクセス・ポイント１０２しか例示していない。
【００２７】
アクセス・ポイント１０２は、モバイル・デバイス１０４によって利用されうるネットワーク・シグナル・システム・パラメータ値を定義するように構成された、ネットワーク・シグナル値生成構成要素１０６を備えうる。例えば、この生成構成要素１０６は、第１のネットワーク・シグナル・パラメータ値１０８と、第２のネットワーク・シグナル・パラメータ値１１０とを定義しうる。いくつかの態様によれば、第１のネットワーク・シグナル値は、必須の値であり、第２のネットワーク・シグナル値は、オプションの値である。ここで、少なくとも、必須の値は、シグナルされ、オプションの値は、付加的にシグナルされうる。
【００２８】
いくつかの態様によれば、第１のネットワーク・シグナル値１０８は、複数のモバイル・デバイスへ向けられ、第２のネットワーク・シグナル値１１０は、複数のモバイル・デバイスのサブセットに向けられる。例えば、モバイル・デバイスの第１のセットは、第１のレビジョン・レベルを有し、モバイル・デバイスの第２のセットは、第２のレビジョン・レベルを有する等である。第１のネットワーク・シグナル値１０８は、モバイル・デバイスの第１のセットに向けられ、第２のネットワーク・シグナル値１１０は、モバイル・デバイスの第２のセットに向けられ、第３のネットワーク・シグナル値は、モバイル・デバイスの第３のセットに向けられる等である。
【００２９】
さらに、アクセス・ポイント１０２には、第１のネットワーク・シグナル値１０８および第２のネットワーク・シグナル値１１０をモバイル・デバイス１０４へ送信するように構成された通信構成要素１１２が含まれる。いくつかの態様によれば、通信構成要素１１２は、その後のネットワーク・シグナル値１１４（例えば、第３のネットワーク・シグナル値、第４のネットワーク・シグナル値等）をモバイル・デバイス１０４へ送信するように構成されている。
【００３０】
アクセス・ポイント１０２はまた、第１のネットワーク・シグナル値１０８に関連する優先度と、第２のネットワーク・シグナル値１１０に関連する優先度と、を定義するように構成された優先度割当構成要素１１６をも含みうる。優先度割当構成要素１１６はまた、その後のネットワーク・シグナル値１１４に優先度を割り当てるようにも構成されている。いくつかの態様によれば、優先度割当構成要素１１６は、メッセージ構造を確立する（または、メッセージ構造が生成されるようにする）ように構成されている。ここで、優先度は、メッセージ構造において暗黙的である。いくつかの態様によれば、優先度割当構成要素１１６は、第１のネットワーク・シグナル値に割り当てられた優先度よりも高い優先度である優先度を、第２のネットワーク・シグナル値に割り当てる。通信構成要素１１２は、モバイル・デバイス１０４に１または複数の優先度を送信するように構成される。
【００３１】
いくつかの態様によれば、アクセス・ポイント１０２は、（例えば、レビジョン・レベルに基づいて、）第１のネットワーク・シグナル値１０８が、モバイル・デバイスの第１のセットによってサポートされていることと、第２のネットワーク・シグナル値１１０が、モバイル・デバイスの第２のセットによってサポートされていることとを判定しうる。通信構成要素１１２は、第１のネットワーク・シグナル値１０８および第２のネットワーク・シグナル値１１０を、モバイル・デバイスの第１のセットとモバイル・デバイスの第２のセットとを備える複数のモバイル・デバイスに送信する。
【００３２】
いくつかの態様によれば、第２のネットワーク・シグナル値１１０は、第１のネットワーク・シグナル値１０８無しで、スタンド・アロンで使用されうるベース・ネットワーク・シグナル・パラメータ値である。いくつかの態様によれば、第２のネットワーク・シグナル値１１０は、付加的なオプションのスペクトル・エミッション・マスク（ＳＥＭ）に関連する。ＳＥＭは、モバイル・デバイスのおのおのが生成することを許可されている過剰な干渉出力の量を管理しうる。新たなモバイル・デバイス（例えば、新たなレビジョン・レベルを持つデバイス）に見えるオプション値の追加は、（１）オプションの値が、いくつかのモバイル・デバイスにおける制約を緩和するために利用されうる場合、または（２）オプションの値が、モバイル・デバイスのサブセットをさらに制限するために利用される場合の、少なくとも２つの方式でなされうる。例えば、ネットワークは、すべてのモバイル・デバイスが、エミッションをあるレベル（例えば、５デシベル）に制限することを要求しうる。しかしながら、ＳＥＭの付加的な値（例えば、オプションの値）を知っており、解釈することができる新たなモバイル・デバイスは、たかが５デシベルではなく、例えば、最大６デシベルまで上げることが許可される。これは、ネットワークは、６デシベルの干渉を許容する準備ができているが、古いレビジョン・レベルのモバイル・デバイスのシグナリング・フォーマットは、正確なレベルをシグナルするためのグラニュラリティを持たず、５デシベル近傍のみしか得ることができないことを意味する。あるいは、オプションの値は、さらに制限されうる。この例では、すべてのモバイル・デバイスは、エミッションを、５デシベルの干渉に制限するべきである。しかしながら、オプションの値をサポートすることができるモバイル・デバイスは、例えば、エミッションを３デシベルに制限することが要求される。
【００３３】
システム１００は、アクセス・ポイント１０２に動作可能に接続されたメモリ１１８を含みうる。メモリ１１８は、アクセス・ポイント１０２の外部に存在しうるか、あるいは、アクセス・ポイント１０２の内部に存在しうる。メモリ１１８は、第１のネットワーク・シグナル値および第２のネットワーク・シグナル値を生成することと、第１のネットワーク・シグナル値および第２のネットワーク・シグナル値を、少なくとも１つのモバイル・デバイスへ送信すること、に関連する命令群を保持しうる。第１のネットワーク・シグナル値は、必須の値であり、第２のネットワーク・シグナル値は、オプションの値である。
【００３４】
いくつかの態様によれば、メモリ１１８はさらに、複数のモバイル・デバイスのために第１のネットワーク・シグナル値を生成することと、複数のモバイル・デバイスのサブセットのために第２のネットワーク・シグナル値を生成することと、に関連する命令群を保持しうる。いくつかの態様によれば、メモリ１１８はさらに、第２のネットワーク・シグナル値に関連する優先度を定義することと、少なくとも１つのモバイル・デバイスに優先度を送信することと、に関連する命令群を保持する。いくつかの態様によれば、メモリ１１８はさらに、第１のネットワーク・シグナル値に割り当てられた優先度よりも高い優先度を、第２のネットワーク・シグナル値に割り当てること、に関連する命令群を保持する。
【００３５】
いくつかの態様によれば、メモリ１１８はさらに、メッセージ構造を確立することに関連する命令群を保持する。ここで、優先度は、メッセージ構造において暗黙的である。いくつかの態様によれば、メモリ１１８はさらに、少なくとも、第３のネットワーク・シグナル値を、少なくとも１つのモバイル・デバイスへ伝送すること、に関連する命令群を保持する。
【００３６】
メモリ１１８は、オプション・システム・パラメータ値をサポートすることと、アクセス・ポイント１０２とモバイル・デバイス１０４との間の通信を制御するための動作を講じることと、に関連付けられたプロトコルを格納しうる。これによって、システム１００は、本明細書に記載されたような無線ネットワークにおいて、改善された通信を達成するために、格納されたプロトコル、および／または、アルゴリズムを適用できるようになる。本明細書に記載されたデータ・ストア（例えば、メモリ）構成要素は、揮発性メモリまたは不揮発性メモリであるか、あるいは、揮発性メモリと不揮発性メモリとの両方を含みうることが認識されるべきである。限定ではなく、例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）（登録商標）のような多くの形式で利用可能である。開示された態様のメモリは、限定される訳ではないが、これらのタイプの、あるいは、その他の適切なタイプのメモリを備えることが意図されている。
【００３７】
少なくとも１つのプロセッサ１２０は、通信ネットワークにおけるオプション・システム・パラメータ値に関連する情報の分析を容易にするために、アクセス・ポイント１０２（および／または、メモリ１１８）に動作可能に接続されうる。プロセッサ１２０は、アクセス・ポイント１０２によって受信された情報の分析、および／または、情報の生成に特化されたプロセッサ、システム１００の１または複数の構成要素を制御するプロセッサ、および／または、アクセス・ポイント１０２によって受信された情報の分析と、情報の生成と、システム１００の１または複数の構成要素の制御との両方を行うプロセッサでありうる。
【００３８】
いくつかの態様によれば、プロセッサ１２０は、オプション・システム・パラメータ値をサポートするように構成される。プロセッサ１２０は、第１のネットワーク・シグナル値および第２のネットワーク・シグナル値を定義する第１のモジュールを含みうる。プロセッサ１２０はまた、第１のネットワーク・シグナル値および第２のネットワーク・シグナル値を、少なくとも１つのモバイル・デバイスへシグナルする第２のモジュールを含みうる。第１のネットワーク・シグナル値は、必須の値でありうる。また、第２のネットワーク・シグナル値は、オプションの値でありうる。
【００３９】
いくつかの態様によれば、第１のモジュールは、複数のモバイル・デバイスのための第１のネットワーク・シグナル値と、複数のモバイル・デバイスのサブセットのための第２のネットワーク・シグナル値とを生成する。いくつかの態様によれば、プロセッサ１２０は、第２のネットワーク・シグナル値に関連する優先度を割り当てる第３のモジュールと、この優先度を、少なくとも１つのモバイル・デバイスへ伝送する第４のモジュールとを備えうる。
【００４０】
図２は、態様にしたがって、ネットワーク・シグナル値の通信を容易にするシステム２００を図示する。システム２００は、前述した図のシステム１００に類似しており、アクセス・ポイント２０２およびモバイル・デバイス２０４を含んでいる。モバイル・デバイス２０４は、アクセス・ポイント２０２によって送信された第１のネットワーク・シグナル値２０８および第２のネットワーク・シグナル値２１０を受信するように構成された受信構成要素２０６を備える。第１のネットワーク・シグナル値２０８は、必須の値でありうる。また、第２のネットワーク・シグナル値２１０は、オプションの値でありうる。したがって、ネットワーク・シグナリングが適用される場合、少なくとも、必須の値が受信される。態様によれば、第２のネットワーク・シグナル値２１０は、付加的な、オプションのスペクトル・エミッション・マスク（ＳＥＭ）に関連する。いくつかの態様によれば、第２のネットワーク・シグナル値２１０は、第１のシグナル値無しで利用されうるベース・ネットワーク・シグナル値である。
【００４１】
いくつかの態様によれば、受信構成要素２０６は、アクセス・ポイント２０２およびその他のシステム・ノード（例えば、アクセス・ポイント、モバイル・デバイス、通信デバイス）からその他の通信を受信するように構成される。
【００４２】
さらにモバイル・デバイス２０４には、第１のネットワーク・シグナル値２０８、第２のネットワーク・シグナル値２１０、その他のネットワーク・シグナル値、またはこれらの組み合わせを適用するように構成されたアプリケーション構成要素２１２が含まれている。例えば、アプリケーション構成要素２１２は、第１のネットワーク・シグナル値２０８と実質的に同時に、第２のネットワーク・シグナル値２１０を利用しうる。いくつかの態様によれば、アプリケーション構成要素２１２は、第１のネットワーク・シグナル値２０８の代わりに第２のネットワーク・シグナル値２１０を利用する。ここで、第１のネットワーク・シグナル値２０８がモバイル・デバイス２０４によってサポートされていない場合、第２のネットワーク・シグナル値２１０の利用が許可される。
【００４３】
１または複数の態様によれば、アプリケーション構成要素２１２は、優先度に応じて、第１のネットワーク・シグナル値２０８および／または第２のネットワーク・シグナル値２１０を適用する。優先度構成要素２１４は、第２のネットワーク・シグナル値２１０に関連付けられた優先度を確認しうる。いくつかの態様によれば、優先度が割り当てられていない場合、優先度構成要素２１４は、第２のネットワーク・シグナル値２１０を利用しうる。いくつかの態様によれば、第２のネットワーク・シグナル値２１０は、第１のネットワーク・シグナル値２０８よりも高い優先度が割り当てられる。
【００４４】
いくつかの態様によれば、優先度は、シグナルされた優先度値に応じて、優先度構成要素２１４によって決定されうる。例えば、優先度値は、第２のネットワーク・シグナル値２１０が送信されるのと実質的に同時に、アクセス・ポイント２０２によってシグナルされうる。いくつかの態様によれば、優先度値は、異なる時間（例えば、アクセス・ポイント２０２によって第２のネットワーク・シグナル値２１０が送信されたのとほとんど同時であるが、異なる時間）において、アクセス・ポイント２０２によってシグナルされる。
【００４５】
いくつかの態様によれば、優先度構成要素２１４は、シグナリング構造に応じて優先度を確認する。ここで、優先度は、メッセージ構造において暗黙的である。態様では、シグナリング構造が定義され、ここでは、ネットワーク・シグナル値が、アクセス・ポイント２０２によって、優先度順に送信される。例えば、第１のネットワーク・シグナル値２０８が送信され、次に、第２のネットワーク・シグナル値２１０が送信され、次に、１または複数のその後のネットワーク・シグナル値２１６が、順に送信される（例えば、第３のネットワーク・シグナル値、次に、第４のネットワーク・シグナル値、次に、第５のネットワーク・シグナル値が送信されるという具合である）。この例では、最も高い優先度のネットワーク・シグナル値が、モバイル・デバイス２０４によって受信および復号された（例えば、サポートされた）最後の値である。例えば、モバイル・デバイス２０４が、第３のネットワーク・シグナル値を復号しうるのであれば、第３のネットワーク・シグナル値が、最も高い優先度であり、利用されるべきである。しかしながら、モバイル・デバイス２０４が、第３のネットワーク・シグナル値を復号（または受信）できない場合、第２のネットワーク・シグナル値２１０が、モバイル・デバイス２０４のための最も高い優先度である。同様の方式で、第４、第５、またはその後のネットワーク・シグナル値が、モバイル・デバイス２０４によって受信され復号されると、モバイル・デバイス２０４によってサポートされるべき最後のネットワーク・シグナル値が、最も高い優先度であり、モバイル・デバイス２０４によって利用されるべきである。
【００４６】
態様では、優先度構成要素２１４は、第２のネットワーク・シグナル値２１０に関連付けられた優先度を決定しうる。優先度構成要素２１４はさらに、受信された複数のオプション・ネットワーク・シグナル値２１６のおのおのに関連付けられた優先度をも決定しうる。受信されたオプション・ネットワーク・シグナル値２１６は、サポートされている第２のネットワーク・シグナル値のセットを備える。優先度構成要素２１４によって、第２のネットワーク・シグナル値２１０の優先度が最も高い優先度であると判定されると、受信された複数のオプション・ネットワーク・シグナル値から、優先度に基づいて、第２のネットワーク・シグナル値２１０が選択される。いくつかの態様にしたがって、受信された複数のオプション・ネットワーク・シグナル値２１６のうちの少なくとも１つが、第２のネットワーク・シグナル値２１０が利用されるのと実質的に同時に利用される。
【００４７】
システム２００は、モバイル・デバイス２０４に動作可能に接続されたメモリ２１８を含みうる。メモリ２１８は、モバイル・デバイス２０４の外部に存在しうるか、あるいは、モバイル・デバイス２０４の内部に存在しうる。メモリ２１８は、アクセス・ポイント２０２から第１のネットワーク・シグナル値および第２のネットワーク・シグナル値を取得することに関連する情報を格納しうる。メモリ２１８はさらに、ネットワークにおける通信のために、第１のネットワーク・シグナル値または第２のネットワーク・シグナル値を、優先度に応じて適用することに関連する命令群を保持しうる。第１のネットワーク・シグナル値は、必須の値であり、第２のネットワーク・シグナル値は、オプションの値でありうる。
【００４８】
いくつかの態様によれば、メモリ２１８はさらに、第１のネットワーク・シグナル値とともに、または、その代替として、第２のネットワーク・シグナル値を利用することに関連する命令群を保持する。いくつかの態様によれば、メモリ２１８はさらに、第２のネットワーク・シグナル値に関連付けられた優先度を決定することと、この優先度に基づいて、受信された複数のオプション・ネットワーク・シグナル値から、第２のネットワーク・シグナル値を選択することと、に関連する命令群を保持する。例えば、第２のネットワーク・シグナル値が、他のネットワーク・シグナル値のうちの少なくとも１つの優先度よりも高い優先度を有している場合、第２のネットワーク・シグナル値が選択される。しかしながら、他のネットワーク・シグナル値のうちの少なくとも１つが、第２のネットワーク・シグナル値よりも高い優先度を有している場合、最も高い優先度を有しているネットワーク・シグナル値が選択される。
【００４９】
いくつかの態様によれば、メモリ２１８はさらに、シグナルされた優先度値に基づいて優先度を決定することに関連する命令群を保持する。いくつかの態様によれば、メモリ２１８は、シグナリング構造に基づいて優先度を決定することに関連する命令群を保持する。いくつかの態様では、メモリ２１８はさらに、第２のネットワーク・シグナル値とほぼ同時に受信された複数のオプション・ネットワーク・シグナル値のうちの少なくとも１つを利用することに関連する命令群を保持する。
【００５０】
メモリ２１８はさらに、オプション・システム・パラメータ値をサポートすることと、モバイル・デバイス２０４とアクセス・ポイント２０２の間の通信を制御する動作を講じることと、に関連付けられたプロトコルを格納しうる。これによって、システム２００は、本明細書に記載されたような無線ネットワークにおいて、改善された通信を達成するために、格納されたプロトコル、および／または、アルゴリズムを適用できるようになる。
【００５１】
少なくとも１つのプロセッサ２２０は、通信ネットワークにおけるオプション・システム・パラメータ値をサポートすることに関連する情報の分析を容易にするために、モバイル・デバイス２０４（および／または、メモリ２１８）に動作可能に接続されうる。プロセッサ２２０は、モバイル・デバイス２０４によって受信された情報の分析、および／または、情報の生成に特化されたプロセッサ、システム２００の１または複数の構成要素を制御するプロセッサ、および／または、モバイル・デバイス２０４によって受信された情報の分析と、情報の生成と、システム２００の１または複数の構成要素の制御との両方を行うプロセッサでありうる。
【００５２】
いくつかの態様によれば、プロセッサ２２０は、オプション・システム・パラメータ値をサポートするように構成される。プロセッサ２２０は、アクセス・ポイントから、第１のネットワーク・シグナル値および第２のネットワーク・シグナル値を受信する第１のモジュールを含みうる。プロセッサ２２０はまた、第１のネットワーク・シグナル値または第２のネットワーク・シグナル値を、優先度に応じて利用する第２のモジュールを含みうる。第１のネットワーク・シグナル値は、必須の値であり、第２のネットワーク・シグナル値は、オプションの値である。
【００５３】
いくつかの態様によれば、プロセッサ２２０は、第２のネットワーク・シグナル値に関連付けられた優先度を決定する第３のモジュールを備える。プロセッサ２２０はまた、この優先度に基づいて、受信された複数のオプション・ネットワーク・シグナル値から、第２のネットワーク・シグナル値を選択する第４のモジュールをも備える。受信された複数のオプション・ネットワーク・シグナル値は、サポートされている第２のネットワーク・シグナル値のセットを備えうる。
【００５４】
上記に記載および図示された典型的なシステムを考慮すると、開示された主題にしたがって実現される方法は、さまざまなフローチャートを参照してより良く認識されるだろう。説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００５５】
図３は、態様にしたがって、オプション・ネットワーク・シグナル値のサポートのための方法３００を例示する。説明するように、３ＧＰＰ、および、ネットワーク・シグナル・パラメータ値をモバイル・デバイスへ送信する類似のシステムは、システムにおいて通信するため、および／または、干渉を緩和するために、同じまたは類似の周波数空間に共存するシステムに従わねばならない。規格の変更、および、３ＧＰＰおよび／または共存システムにおける修正により、ネットワーク・シグナル要件は、将来、変化しうる。例えば、いくつかの要件は、緩和されうる。修正をサポートするために、新たなネットワーク・シグナル値が導入された場合、レガシー・モバイル・デバイスは、もはや動作することができない。可能な解決法として、古いネットワーク・シグナル値の先頭に、オプション・ネットワーク・シグナル値が導入されうる。
【００５６】
さらに、異なる地理的領域における異なるネットワークは、異なる要件を有しうる。これは、ネットワーク・シグナルの異なるバージョン（例えば、より厳しい要件を持つネットワーク・シグナル）のサポートを要求しうる。いくつかの周波数帯域は、より厳しいＳＥＭ要件を有しうるが、それでも、これをサポートしないいくつかのモバイル・デバイスを動作可能としうる。さらなる要件（例えば、ローミング）をサポートしないモバイル・デバイスの数は、少ない可能性がある。しかしながら、これら要件をサポートしないモバイル・デバイスが多いほど、これらデバイスからの干渉の機会が高くなることが認識されるべきである。
【００５７】
ネットワークは、付加的なネットワーク・シグナル値をシグナルしうる。例えば、ネットワーク・シグナル値に優先度値が割り当てられ、モバイル・デバイスは、これら値に基づいて従うように、ネットワーク・シグナル値を選択しうる。従来のネットワーク・シグナル値の強制的な特性は、オプション・ネットワーク・シグナル値のサポートを可能にしない。このような状況の下では、下位互換性を持つエミッション・マスク変更をサポートすることは可能ではない。
【００５８】
いくつかの手順は、情報要素におけるシステム・パラメータのベース値（主要値）および付加的な値のシグナリングをサポートする。この種のシグナリング方法は、付加的な値が、ベース値のサブセットまたは補強された値であり、ベース値としてシグナルされないものと仮定する。さらに、システム・パラメータが導入されうる。これは、ベース値、または、付加的な値として使用されうる。例えば、ネットワークは、ベース値として値“ＮＳ＿ｘ”を、オプション値として値“ＮＳ−ｙ”を通知しうる。ＮＳ＿ｙの要件はより厳格であるが、ＮＳ＿ｘを使用するモバイル・デバイスの数が十分少ない場合、干渉は問題とはならない。しかしながら、ＮＳ＿ｘを使用するモバイル・デバイスの数が、あるポイント以上に増加すると、ネットワークは、システム値としてＮＳ＿ｙのシグナリングを開始しなければならない。ＮＳ＿ｙが、オプション値としてのみ定義されている場合、ネットワークは、ＮＳ＿ｙのみをシグナルするように切り換わることができない。ＮＳ＿ｙが、主要値およびオプション値の両方として使用されている場合、ネットワークは、ＮＳ＿ｙのみをシグナルし、それをサポートしないモバイル・デバイスは、システムにアクセスすることができない。
【００５９】
態様では、オプションまたは付加的なネットワーク・シグナル値が与えられる。これらオプション・ネットワーク・シグナル値は、必須のネットワーク・シグナル値に加えて、より高いレイヤ・シグナリングで、ネットワークによってシグナルされうる。オプション値との互換性を持つモバイル・デバイスは、これに従いうる。オプション値との互換性を持たないモバイル・デバイスは、必須のネットワーク・シグナル値を使用せねばならない。ネットワークはまた、ネットワーク・シグナル値およびこれらの優先度のリストをもシグナルしうる。モバイル・デバイスは、サポートされたものの中から、最も高い優先度を持つ、シグナルされたネットワークを選択しうる。別の態様では、システム・パラメータは、主要値および付加的な値の両方として定義されうる。これは、ネットワーク管理の柔軟性を高めうる。
【００６０】
図３への参照を続けると、方法３００は、例えばアクセス・ポイントのような通信装置によって実行されうる。方法３００は、少なくとも２つのネットワーク・シグナル・パラメータ値が生成される３０２で始まる。例えば、生成された第１のネットワーク・シグナル値は、必須の値であり、生成された第２のネットワーク・シグナル値は、オプションの値でありうる（例えば、少なくとも、必須の値は生成され、その他の値は、オプション的に生成される）。いくつかの態様によれば、第１のネットワーク・シグナル値は、複数のモバイル・デバイスのために生成され、第２のネットワーク・シグナル値は、複数のモバイル・デバイスのサブセットのために生成される。いくつかの態様によれば、第２のネットワーク・シグナル値は、付加的な、オプションの、スペクトル・エミッション・マスク（ＳＥＭ）に関連する。いくつかの態様によれば、第２のネットワーク・シグナル値は、モバイル・デバイスによって、第１のネットワーク・シグナル値の代わりに利用されうる、ベース・ネットワーク・シグナル値である。
【００６１】
３０４では、生成されたネットワーク・シグナル値が、少なくとも１つのモバイル・デバイスに送信される。いくつかの態様によれば、第１、第２、および第３のネットワーク・シグナル値が、少なくとも１つのモバイル・デバイスへ、実質的に同時に伝送される。
【００６２】
いくつかの態様によれば、方法３００は、第１のネットワーク・シグナル値が、モバイル・デバイスの第１のセットによってサポートされており、第２のネットワーク・シグナル値が、モバイル・デバイスの第２のセットによってサポートされていることを判定する。この判定は、通信環境内に位置するか、または、（例えば、次のリリース、または、次のレビジョン・レベル変更に基づいて）この環境とともに位置することが期待されているモバイル・デバイスのレビジョン・レベルに基づきうる。この送信は、３０４において、第１のネットワーク・シグナル値および第２のネットワーク・シグナル値を、モバイル・デバイスの第１のセットと、モバイル・デバイスの第２のセットとを備える複数のモバイル・デバイスへ送信することを備える。
【００６３】
いくつかの態様によれば、方法３００は、３０６において、第２のネットワーク・シグナル値に関連する優先度を定義することを含む。いくつかの態様によれば、優先度を定義することは、メッセージ構造を確立することを備える。ここで、優先度は、メッセージ構造において暗黙的である。いくつかの態様によれば、第２のネットワーク・シグナル値に割り当てられた優先度は、第１のネットワーク・シグナル値に割り当てられた優先度よりも高い優先度である。第２の（または、次の）ネットワーク・シグナル値に高い優先度を割り当てることによって、第２の（または、次の）ネットワーク・シグナル値をサポートすることが可能なモバイル・デバイスは、第２の（または、次の）ネットワーク・シグナル値を利用できるようになる。
【００６４】
この優先度は、３０８において、少なくとも１つのモバイル・デバイスに送信される。いくつかの態様によれば、優先度は、ネットワーク・シグナル値が生成されるのと実質的に同時に定義され、ネットワーク・シグナル値が送信されるのと実質的に同時に送信される。
【００６５】
いくつかの態様によれば、コンピュータ・プログラム製品は、方法３００のさまざまな態様を実行するためのコードを備える、コンピュータ読取可能媒体を含みうる。コンピュータ読取可能媒体は、コンピュータに対して、第１のネットワーク・シグナル値および第２のネットワーク・シグナル値を生成させるための第１のコードのセットを含みうる。コンピュータ読取可能媒体はまた、コンピュータに対して、第１のネットワーク・シグナル値および第２のネットワーク・シグナル値を少なくとも１つのモバイル・デバイスへ送信させるための第２のコードのセットを含みうる。第１のネットワーク・シグナル値は、必須の値であり、第２のネットワーク・シグナル値は、オプションの値でありうる。
【００６６】
いくつかの態様によれば、コンピュータ読取可能媒体はさらに、コンピュータに対して、複数のモバイル・デバイスのために第１のネットワーク・シグナル値を生成させ、複数のモバイル・デバイスのサブセットのために第２のネットワーク・シグナル値を生成させるための第３のコードのセットを備える。
【００６７】
いくつかの態様によれば、コンピュータ読取可能媒体はさらに、コンピュータに対して、第２のネットワーク・シグナル値に関連する優先度を定義させるための第３のコードのセットと、コンピュータに対して、優先度を少なくとも１つのモバイル・デバイスへ送信させるための第４のコードのセットと、を備える。いくつかの態様によれば、コンピュータ読取可能媒体はさらに、コンピュータに対して、メッセージ構造を確立させるための第３のコードのセットを備える、ここで、優先度は、メッセージ構造において暗黙的である。
【００６８】
図４は、態様にしたがって、オプション・ネットワーク・シグナル・パラメータ値のサポートを容易にする方法４００を図示する。方法４００は、例えばモバイル・デバイスのような通信装置によって実行されうる。方法４００は、ネットワーク・シグナル値がアクセス・ポイントから受信される４０２で始まる。いくつかの態様によれば、第１のネットワーク・シグナル値および第２のネットワーク・シグナル値が受信される。ここで、第１のネットワーク・シグナル値は、必須の値であり、第２のネットワーク・シグナル値は、オプションの値である。したがって、ネットワーク・シグナリングが適用されている場合、少なくとも、必須の値が、アクセス・ポイントによってシグナルされ、オプションのシグナルが、追加的にシグナルされうる。いくつかの態様によれば、第２のネットワーク・シグナル値は、付加的なオプションのスペクトル・エミッション・マスク（ＳＥＭ）に関連する。いくつかの態様によれば、第２のネットワーク・シグナル値は、第１のシグナル値無しで、スタンド・アロンで利用することができるベース・ネットワーク・シグナル値である。いくつかの態様によれば、３つ以上のネットワーク・シグナル値が受信される。
【００６９】
４０４では、受信されたネットワーク・シグナル値のうちの少なくとも１つが、優先度に応じて利用される。いくつかの態様によれば、第２のネットワーク・シグナル値が、第１のネットワークと実質的に同時に利用されうる。いくつかの態様によれば、第２のネットワーク・シグナル値が、第１のネットワーク・シグナル値の代替として使用される。
【００７０】
態様では、方法４００は、４０６において、受信されたネットワーク・シグナル値に関連付けられた優先度を決定することを含みうる。いくつかの態様によれば、決定することは、シグナルされた優先度値に応じて優先度を決定することを備える。いくつかの態様によれば、決定することは、シグナリング構造に基づいて優先度を決定することを含む。いくつかの態様によれば、第２のネットワーク・シグナル値は、第１のネットワーク・シグナル値よりも優先される。
【００７１】
４０８では、受信された複数のオプション・ネットワーク・シグナル値から、ネットワーク・シグナル値のうちの少なくとも１つが、優先度に基づいて選択される。受信された複数のオプション・ネットワーク・シグナル値は、サポートされている第２のネットワーク・シグナル値のセットを備えうる。いくつかの態様によれば、複数のネットワーク・シグナル値が受信され、受信された複数のオプション・ネットワーク・シグナル値のうちの少なくとも１つが、第２のネットワーク・シグナル値と実質的に同時に使用される。
【００７２】
いくつかの態様によれば、コンピュータ・プログラム製品は、方法４００のさまざまな態様を実行するためのコードを備える、コンピュータ読取可能媒体を含みうる。コンピュータ読取可能媒体は、コンピュータに対して、アクセス・ポイントから、第１のネットワーク・シグナル値および第２のネットワーク・シグナル値を取得させるための第１のコードのセットを含みうる。コンピュータ読取可能媒体はまた、コンピュータに対して、優先度に応じて、第１のネットワーク・シグナル値または第２のネットワーク・シグナル値を適用させるための第２のコードのセットを含みうる。第１のネットワーク・シグナル値は、必須の値であり、第２のネットワーク・シグナル値は、オプションの値である。
【００７３】
いくつかの態様によれば、コンピュータ読取可能媒体はさらに、コンピュータに対して、第１のネットワーク・シグナル値とともに、または、その代わりに、第２のネットワーク・シグナル値を利用させるための第３のコードのセットを備える。いくつかの態様によれば、コンピュータ読取可能媒体はさらに、コンピュータに対して、第２のネットワーク・シグナル値に関連付けられた優先度を決定させるための第３のコードのセットと、コンピュータに対して、この優先度に基づいて、受信された複数のオプション・ネットワーク・シグナル値から、第２のネットワーク・シグナル値を選択させるための第４のコードのセットとを備える。
【００７４】
図５に示すように、開示された態様のうちの１または複数にしたがって、オプションのシステム・パレメータ値のためのサポートを容易にするシステム５００が例示されている。システム５００は、ユーザ・デバイス内に存在しうる。システム５００は、例えば受信アンテナから信号を受信する受信構成要素５０２を備える。受信構成要素５０２は、受信した信号について、例えば、フィルタリング、増幅、ダウンコンバート等のような一般的な動作を実行しうる。受信構成要素５０２はまた、この調整された信号をデジタル化して、サンプルを取得しうる。復調器５０４は、おのおののシンボル周期に受信シンボルを取得するのみならず、受信シンボルをプロセッサ５０６に提供する。
【００７５】
プロセッサ５０６は、受信機５０２によって受信された情報の分析、および／または、送信機５０８による送信のための情報の生成に特化されたプロセッサでありうる。それに加えて、あるいは、その代わりに、プロセッサ５０６は、システム５００の１または複数の構成要素の制御、受信構成要素５０２によって受信された情報の分析、送信機５０８による送信のための情報の生成、および／または、システム５００の１または複数の構成要素の制御を行いうる。プロセッサ５０６は、さらなるユーザ・デバイスとの通信を調整することが可能なコントローラ構成要素を含みうる。
【００７６】
システム５００はさらに、プロセッサ５０６に動作可能に接続されたメモリ５１０を備えうる。メモリ５１０は、通信を調整することに関連する情報、および、その他任意の適切な情報を格納しうる。メモリ５１０は、さらに、オプション・システム・パラメータ値に関連付けられたプロトコルを格納しうる。システム５００はさらに、シンボル変調器５１２を備えうる。ここで、送信機５０８は、変調された信号を送信する。
【００７７】
受信構成要素５０２はさらに、ネットワーク・シグナル・パラメータ値に関連付けられた優先度を識別または受信するように構成されたネットワーク・シグナルＮＳ優先度決定構成要素５１４に動作可能に接続される。それに加えて、受信構成要素５０２は、無線通信を容易にするために、ネットワーク・シグナル・パラメータ値を利用するように構成されたシステム・パラメータ適用構成要素５１６に動作可能に接続されうる。
【００７８】
図６は、本明細書に示されたさまざまな態様にしたがって、通信ネットワークにおける１または複数のモバイル・デバイスへのオプション・システム・パラメータ値の送信を容易にするシステム６００の図示である。システム６００は、アクセス・ポイントまたは基地局６０２を備える。図示されるように、基地局６０２は、受信アンテナ６０６によって、１または複数の通信デバイス６０４（例えば、ユーザ・デバイス）から信号（単数または複数）を受信し、送信アンテナ６０８を介して１または複数の通信デバイス６０４に送信する。
【００７９】
基地局６０２は、受信アンテナ６０６から情報を受信する受信機６１０を備えている。受信機６１０は、受信した情報を復調する復調器６１２に動作可能に関連付けられている。復調されたシンボルは、オプション・システム・パラメータ値に関連する情報を格納するメモリ６１６に接続された少なくともプロセッサ６１４によって分析される。変調器６１８は、送信機６２０による送信アンテナ６０８を介した通信デバイス６０４への送信のために信号を多重化しうる。
【００８０】
プロセッサ６１４はさらに、複数のネットワーク・シグナル・パラメータ値を生成するように構成されたネットワーク・シグナルＮＳ生成構成要素６２２に接続される。ＮＳ生成構成要素６２２は、１または複数の通信デバイスによる利用のために、ネットワーク・シグナル・システム・パラメータ値を定義する。プロセッサ６１４はまた、ネットワーク・シグナル値のうちの１または複数に優先度を割り当てるように構成されたＮＳ優先度構成要素６２４に接続されうる。
【００８１】
図７は、態様にしたがって、無線通信ネットワークにおける通信のために、複数のオプション・システム・パラメータ値を受信し、これら値のうちの少なくとも１つを利用するシステム７００の例を図示する。システム７００は、モバイル・デバイス内に少なくとも部分的に存在しうる。システム７００は、プロセッサ、ソフトウェア、またはこれらの組み合わせ（例えば、ファームウェア）によって実現される機能を表す機能ブロックでありうる機能ブロックを含むものとして表されていることが認識されるべきである。
【００８２】
システム７００は、個別にまたは連携して動作する電子構成要素の論理グループ７０２を含む。論理グループ７０２は、アクセス・ポイントから、第１のネットワーク・シグナル値および第２のネットワーク・シグナル値を受信するための電子構成要素７０４を含みうる。また論理グループ７０２には、第１のネットワーク・シグナル値または第２のネットワーク・シグナル値を優先度に応じて利用するための電子構成要素７０６が含まれる。第１のネットワーク・シグナル値は、必須の値であり、第２のネットワーク・シグナル値は、オプションの値である。第２のネットワークは、第１のネットワーク・シグナル値よりも高い優先度が割り当てられる。いくつかの態様によれば、電子構成要素７０４は、第１のネットワーク・シグナル値とともに、または、その代替として、第２のネットワーク・シグナル値を利用するための電子構成要素を備えうる。
【００８３】
いくつかの態様によれば、論理グループ７０２は、第２のネットワーク・シグナル値に関連付けられた優先度を決定するための電子構成要素７０８を備える。いくつかの態様によれば、電子構成要素７０８は、シグナルされた優先度値から優先度を決定するための電子構成要素を備える。いくつかの態様では、電子構成要素７０８は、シグナリング構造に基づいて優先度を決定するための電子構成要素を備える。
【００８４】
さらには、受信された複数のオプション・ネットワーク・シグナル値から、優先度に基づいて、第２のネットワーク・シグナル値を選択するための電子構成要素７１０をも含まれうる。受信された複数のオプション・ネットワーク・シグナル値は、サポートされている第２のネットワーク・シグナル値のセットを備えうる。いくつかの態様によれば、論理グループ７０８は、受信された複数のオプション・ネットワーク・シグナル値のうちの少なくとも１つを、第２のネットワーク・シグナル値と連携して利用するための電子構成要素を備える。
【００８５】
さらに、システム７００は、電子構成要素７０４、７０６、７０８、７１０、およびその他の構成要素に関連付けられた機能を実行するための命令群を保持するメモリ７１２を含みうる。メモリ７１２の外部にあるとして示されているが、電子構成要素７０４、７０６、７０８、７１０の１または複数は、メモリ７１２の内部に存在しうることが理解されるべきである。
【００８６】
図８を参照して、態様にしたがって、複数のネットワーク・シグナル値を複数のモバイル・デバイスへ伝送するシステム８００の例が例示される。システム８００は、アクセス・ポイント内部に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして表されていることが認識されるべきである。
【００８７】
システム８００は、個別にまたは連携して動作する電子構成要素の論理グループ８０２を含む。論理グループ８０２は、第１のネットワーク・シグナル値および第２のネットワーク・シグナル値を生成するための電子構成要素８０４を含みうる。いくつかの態様によれば、電子構成要素８０４は、複数のモバイル・デバイスのための第１のネットワーク・シグナル値と、複数のモバイル・デバイスのサブセットのための第２のネットワーク・シグナル値とを生成するための電子構成要素を備える。
【００８８】
さらに、論理グループ８０２には、第１のネットワーク・シグナル値および第２のネットワーク・シグナル値を、少なくとも１つのモバイル・デバイスへ送信するための電子構成要素８０６が含まれる。第１のネットワーク・シグナル値は、必須の値であり、第２のネットワーク・シグナル値は、オプションの値である。
【００８９】
いくつかの態様によれば、論理グループ８０２は、第２のネットワーク・シグナル値に関連する優先度を定義するための電子構成要素８０８と、少なくとも１つのモバイル・デバイスに優先度を送信するための電子構成要素８１０とを備える。いくつかの態様によれば、電子構成要素８０８は、メッセージ構造を確立するための電子構成要素を備える。ここで、優先度は、メッセージ構造において暗黙的である。
【００９０】
さらに、システム８００は、電子構成要素８０４、８０６、８０８、８１０、およびその他の構成要素に関連付けられた機能を実行するための命令群を保持するメモリ８１２を含みうる。メモリ８１２の外部にあるとして示されているが、電子構成要素８０４、８０６、８０８、８１０の１または複数は、メモリ８１２の内部に存在しうることが理解されるべきである。
【００９１】
図９を参照して、１または複数の態様にしたがう多元接続無線通信システム９００が例示される。無線通信システム９００は、１または複数のユーザ・デバイスに接続する１または複数の基地局を含みうる。おのおのの基地局は、複数のセクタのための有効通信範囲を提供する。１つはアンテナ９０４、９０６を含み、他の１つはアンテナ９０８、９１０を含み、さらに他のものはアンテナ９１２、９１４を含む複数のアンテナ・グループを含む３セクタ基地局９０２が例示されている。図によれば、各アンテナ・グループについて２つのアンテナしか示されていないが、おのおののアンテナ・グループについて、それよりも多い、または、少ないアンテナが利用されうる。モバイル・デバイス９１６はアンテナ９１２、９１４と通信している。ここで、アンテナ９１２、９１４は、順方向リンク９１８によってモバイル・デバイス９１６へ情報を送信し、逆方向リンク９２０によってモバイル・デバイス９１６から情報を受信する。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。モバイル・デバイス９２２はアンテナ９０４、９０６と通信している。ここで、アンテナ９０４、９０６は、順方向リンク９２４によってモバイル・デバイス９２２へ情報を送信し、逆方向リンク９２６によってモバイル・デバイス９２２から情報を受信する。ＦＤＤシステムでは、例えば、通信リンク９１８、９２０、９２４、９２６は、通信のために異なる周波数を利用しうる。例えば、順方向リンク９１８は、逆方向リンク９２０によって利用される周波数とは異なる周波数を使用しうる。
【００９２】
通信するように指定された領域および／またはアンテナのおのおののグループは、基地局９０２のセクタと称されうる。１または複数の態様では、アンテナ・グループはおのおの、基地局９０２によってカバーされる領域のセクタにおけるモバイル・デバイスと通信するように設計されている。基地局は、モバイル・デバイスと通信するために使用される固定局でありうる。
【００９３】
順方向リンク９１８、９２４による通信では、基地局９０２の送信アンテナは、異なるモバイル・デバイス９１６、９２２についての順方向リンクの信号対雑音比を改善するために、ビームフォーミングを利用しうる。また、有効通信範囲領域にわたってランダムに散在するモバイル・デバイスへ送信するためにビームフォーミングを利用している基地局は、  有効通信範囲領域内のすべてのモバイル・デバイスに対して単一アンテナによって送信している基地局によって引き起こされる干渉よりも、近隣セルにおけるモバイル・デバイスに対して、少ない干渉しかもたらさない。
【００９４】
図１０は、態様にしたがう無線通信システム１０００の例のブロック図を示す。無線通信システム１０００は、簡潔さの目的で、１つの基地局１００２と１つのモバイル・デバイス１００４とを示している。しかしながら、無線通信システム１０００は、１より多い基地局、および／または、１より多いモバイル・デバイスを含むことができ、これら追加の基地局および／またはモバイル・デバイスは、以下に説明する基地局１００２およびモバイル・デバイス１００４の例と実質的に同じでも、別のものでもありうることが認識されるべきである。さらに、基地局１００２および／またはモバイル・デバイス１００４は、その間の無線通信を容易にするために、本明細書に記載されたシステムおよび／または方法を適用しうる。
【００９５】
基地局１００２では、多くのデータ・ストリームのためのトラフィック・データが、データ・ソース１００６から送信（ＴＸ）データ・プロセッサ１００８へ提供される。一例によれば、おのおののデータ・ストリームが、それぞれのアンテナを介して送信される。ＴＸデータ・プロセッサ１００８は、トラフィック・データ・ストリームをフォーマットし、このデータ・ストリームのために選択された特定の符号化スキームに基づいて符号化し、インタリーブして、符号化されたデータを提供する。
【００９６】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１００４において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０１０によって実行または提供される指示によって決定されうる。
【００９７】
データ・ストリームの変調シンボルは、（例えば、ＯＦＤＭのために）変調シンボルを処理するＴＸ  ＭＩＭＯプロセッサ１０１２に提供される。その後、ＴＸ  ＭＩＭＯプロセッサ１０１２は、ＮＴ個の変調シンボル・ストリームを、ＮＴ個の送信機（ＴＭＴＲ）１０１４ａ乃至１０１４へ提供する。さまざまな実施形態において、ＴＸ  ＭＩＭＯプロセッサ１０１２は、データ・ストリームのシンボル、および、そのシンボルが送信されるアンテナへ、ビームフォーミング重みを適用する。
【００９８】
おのおのの送信機１０１４は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０１４ａ乃至１０１４ｔからのＮＴ個の変調信号が、ＮＴ個のアンテナ１０１６ａ乃至１０１６ｔからそれぞれ送信される。
【００９９】
モバイル・デバイス１００４では、送信された変調信号がＮＲ個のアンテナ１０１８ａ乃至１０１８ｒによって受信され、受信された信号が、各アンテナ１０１８からそれぞれの受信機（ＲＣＶＲ）１０２０ａ乃至１０２０ｒへ提供される。おのおのの受信機１０２０は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【０１００】
ＲＸデータ・プロセッサ１０２２は、ＮＲ個の受信機１０２０からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０２２は、検出されたおのおののシンボル・ストリームを復調し、デインタリーブし、復号して、そのデータ・ストリームのためのトラフィック・データを復元する。ＲＸデータ・プロセッサ１０２２による処理は、基地局１００２におけるＴＸ  ＭＩＭＯプロセッサ１０１２およびＴＸデータ・プロセッサ１００８によって実行されるものと相補的である。
【０１０１】
プロセッサ１０２４は、上述したように、どの事前符号化行列を使用するのかを定期的に決定する。さらに、プロセッサ１０２４は、行列インデクス部およびランク値部を備えた逆方向リンク・メッセージを規定することができる。
【０１０２】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１０２８から受け取るＴＸデータ・プロセッサ１０２６によって処理され、変調器１０３０によって変調され、送信機１０３２ａ乃至１０３２ｒによって調整され、基地局１００２へ送り戻される。
【０１０３】
基地局１００２では、モバイル・デバイス１００４からの変調信号が、アンテナ１０１６によって受信され、受信機１０３４ａ乃至１０３４ｔによって調整され、復調器１０３６によって復調され、ＲＸデータ・プロセッサ１０３８によって処理されることにより、モバイル・デバイス１００４によって送信された逆方向リンク・メッセージが抽出される。さらに、プロセッサ１０１０は、ビームフォーミング重みを決定するためにどの事前符号化行列を使用するかを決定するために、この抽出されたメッセージを処理する。
【０１０４】
プロセッサ１０１０およびプロセッサ１０２４は、基地局１００２およびモバイル・デバイス１００４それぞれにおける動作を指示（例えば、制御、調整、管理等）する。プロセッサ１０１０およびプロセッサ１０２４はそれぞれ、プログラム・コードおよびデータを格納するメモリ１０４０およびメモリ１０４２に関連付けられうる。プロセッサ１０１０およびプロセッサ１０２４はまた、アップリンクおよびダウンリンクそれぞれのための周波数およびインパルス応答推定値を導出する計算をも実行する。
【０１０５】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【０１０６】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１０７】
ソフトウェアで実現される場合、これら機能は、コンピュータ読取可能媒体に格納されるか、１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク（登録商標）、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【０１０８】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、本明細書に記載されたステップまたは動作のうちの１または複数を実行するように動作可能な１または複数のモジュールを備えうる。
【０１０９】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、メモリ・ユニットは、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【０１１０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【０１１１】
単一キャリア変調および周波数領域等値化を利用する単一キャリア周波数分割多元接続（ＳＣ−ＦＤＭＡ）は、開示された態様とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点から、低いＰＡＰＲがモバイル端末に利益をもたらすアップリンク通信において利用されうる。
【０１１２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群あるいはコードを有するコンピュータ読取可能媒体を含むことができる。
【０１１３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これらの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【０１１４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。したがって、記載された態様は、特許請求の範囲のスコープ内にあるそのようなすべての変形、修正、および変更を含むことが意図される。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【０１１５】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【０１１６】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【０１１７】
さらに、さまざまな態様が、モバイル・デバイスに関して本明細書で記載される。モバイル・デバイスはまた、加入者ユニット、加入者局、移動局、モバイル、無線端末、ノード、デバイス、遠隔局、遠隔端末、アクセス端末、ユーザ端末、端末、無線通信デバイス、無線通信装置、ユーザ・エージェント、ユーザ・デバイス、あるいはユーザ機器（ＵＥ）などとも称され、システムの機能のうちのいくつかまたはすべてを含むことができる。モバイル・デバイスは、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、無線端末と通信するために利用することができ、アクセス・ポイント、ノード、ノードＢ、ｅノードＢ、ｅ−ＮＢ、あるいは、その他のいくつかのネットワーク・エンティティで称され、これらの機能のうちのいくつかまたはすべてを含むことができる。
【０１１８】
さまざまな態様または特徴が、多くのデバイス、構成要素、モジュールなどを含むシステムの観点から示されるだろう。さまざまなシステムが、図面に関連して説明されたように、追加のデバイス、構成要素、モジュール等を含み、および／または、これらデバイス、構成要素、モジュール等のうちのすべてを含んでいるとは限らないことが理解および認識されるべきである。これらアプローチの組み合わせもまた使用されうる。
【０１１９】
さらに、主題とする記載では、「典型的」という用語（およびその変形）は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、「典型的」という用語を用いることは、概念を具体的な方式で表すことが意図されている。
【図１】
2014212546.tif 000003
【図２】
2014212546.tif 000004
【図３】
2014212546.tif 000005
【図４】
2014212546.tif 000006
【図５】
2014212546.tif 000007
【図６】
2014212546.tif 000008
【図７】
2014212546.tif 000009
【図８】
2014212546.tif 000010
【図９】
2014212546.tif 000011
【図１０】
2014212546.tif 000012
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
方法であって、
アクセス・ポイントから、第１のネットワーク・シグナル値および第２のネットワーク・シグナル値を受信することと、ここで、前記第２のネットワーク・シグナル値は、付加的な、オプションの、スペクトル・エミッション・マスク（ＳＥＭ）に関連する、
前記第１のネットワーク・シグナル値または前記第２のネットワーク・シグナル値を優先度に応じて利用することと、ここで、前記第１のネットワーク・シグナル値は、必須の値であり、前記第２のネットワーク・シグナル値は、オプションの値である、
シグナリング構造における前記第１および第２のネットワーク・シグナル値の順序に基づいて前記第２のネットワーク・シグナル値に関連付けられた優先度を決定することと、ここで、前記優先度は、前記シグナリング構造において暗黙的である、
を備える方法。
【請求項２】
前記利用することは、前記第２のネットワーク・シグナル値を、前記第１のネットワーク・シグナル値とともに、または、代わりに利用することを備える、請求項１に記載の方法。
【請求項３】
前記第２のネットワーク・シグナル値を利用することは、前記第２のネットワーク・シグナル値を、前記第１のネットワーク・シグナル値よりも高く優先度付けることを備える、請求項２に記載の方法。
【請求項４】
前記第２のネットワーク・シグナル値を利用する前に、前記第１のネットワーク・シグナル値がサポートされていないことを判定することをさらに備える、請求項２に記載の方法。
【請求項５】
受信された複数のオプション・ネットワーク・シグナル値から、前記優先度に基づいて、前記第２のネットワーク・シグナル値を選択することをさらに備える、請求項１に記載の方法。
【請求項６】
前記決定することは、前記優先度を、シグナルされた優先度値から決定することを備える、請求項１に記載の方法。
【請求項７】
前記受信された複数のオプション・ネットワーク・シグナル値は、サポートされている第２のネットワーク・シグナル値のセットを備える、請求項５に記載の方法。
【請求項８】
通信装置であって、
アクセス・ポイントから、第１のネットワーク・シグナル値および第２のネットワーク・シグナル値を取得することと、ここで、前記第２のネットワーク・シグナル値は、付加的な、オプションの、スペクトル・エミッション・マスク（ＳＥＭ）に関連する、
通信ネットワークにおける通信のために、前記第１のネットワーク・シグナル値または前記第２のネットワーク・シグナル値を、優先度に応じて利用することと、ここで、前記第１のネットワーク・シグナル値は、必須の値であり、前記第２のネットワーク・シグナル値は、オプションの値である、シグナリング構造における前記第１および第２のネットワーク・シグナル値の順序に基づいて前記第２のネットワーク・シグナル値に関連付けられた優先度を決定することと、ここで、前記優先度は、前記シグナリング構造において暗黙的である、に関連する命令群を保持するメモリと、
前記メモリに接続され、前記メモリに保持された命令群を実行するように構成されたプロセッサと、
を備える通信装置。
【請求項９】
前記メモリはさらに、前記第２のネットワーク・シグナル値を、前記第１のネットワーク・シグナル値の代わりとして利用することに関連する命令群を保持する、請求項８に記載の通信装置。
【請求項１０】
前記メモリはさらに、前記第２のネットワーク・シグナル値に、前記第１のネットワーク・シグナル値よりも高い優先度を割り当てることに関連する命令群を保持する、請求項９に記載の通信装置。
【請求項１１】
前記メモリはさらに、前記第１のネットワーク・シグナル値がサポートされていない場合、前記第２のネットワーク・シグナル値を利用することに関連する命令群を保持する、請求項９に記載の通信装置。
【請求項１２】
前記メモリはさらに、
受信された複数のオプション・ネットワーク・シグナル値から、前記優先度に基づいて、前記第２のネットワーク・シグナル値を選択すること、ここで、前記受信された複数のオプション・ネットワーク・シグナル値は、サポートされている第２のネットワーク・シグナル値のセットを備える、に関連する命令群を保持する、請求項８に記載の通信装置。
【請求項１３】
前記メモリはさらに、前記優先度を、シグナルされた優先度値に基づいて決定することに関連する命令群を保持する、請求項８に記載の通信装置。
【請求項１４】
オプション・システム・パラメータ値をサポートする通信装置であって、
アクセス・ポイントから、第１のネットワーク・シグナル値および第２のネットワーク・シグナル値を受信する手段と、ここで、前記第２のネットワーク・シグナル値は、付加的な、オプションの、スペクトル・エミッション・マスク（ＳＥＭ）に関連する、
前記第１のネットワーク・シグナル値または前記第２のネットワーク・シグナル値を、優先度に応じて利用する手段と、ここで、前記第１のネットワーク・シグナル値は、必須の値であり、前記第２のネットワーク・シグナル値は、オプションの値であり、前記第２のネットワーク・シグナル値は、前記第１のネットワーク・シグナル値よりも高い優先度が割り当てられる、
シグナリング構造における前記第１および第２のネットワーク・シグナル値の順序に基づいて前記第２のネットワーク・シグナル値に関連付けられた優先度を決定する手段と、ここで、前記優先度は、前記シグナリング構造において暗黙的である、
を備える通信装置。
【請求項１５】
前記利用する手段は、前記第１のネットワーク・シグナル値の代わりに、前記第２のネットワーク・シグナル値を用いる手段を備える、請求項１４に記載の通信装置。
【請求項１６】
受信された複数のオプション・ネットワーク・シグナル値から、前記優先度に基づいて、前記第２のネットワーク・シグナル値を選択する手段をさらに備え、
前記受信された複数のオプション・ネットワーク・シグナル値は、サポートされている第２のネットワーク・シグナル値のセットを備える、請求項１４に記載の通信装置。
【請求項１７】
コンピュータに対して、アクセス・ポイントから、第１のネットワーク・シグナル値および第２のネットワーク・シグナル値を取得させるための第１のコードのセットと、ここで、前記第２のネットワーク・シグナル値は、付加的な、オプションの、スペクトル・エミッション・マスク（ＳＥＭ）に関連する、
前記コンピュータに対して、優先度に応じて、前記第１のネットワーク・シグナル値または前記第２のネットワーク・シグナル値を適用させるための第２のコードのセットと、ここで、前記第１のネットワーク・シグナル値は、必須の値であり、前記第２のネットワーク・シグナル値は、オプションの値である、
前記コンピュータに対して、シグナリング構造における前記第１および第２のネットワーク・シグナル値の順序に基づいて前記第２のネットワーク・シグナル値に関連付けられた優先度を決定させるための第３のコードのセットと、ここで、前記優先度は、前記シグナリング構造において暗黙的である、を記録したコンピュータ読取可能な記録媒体。
【請求項１８】
前記コンピュータに対して、前記第１のネットワーク・シグナル値とともに、または、その代わりに、前記第２のネットワーク・シグナル値を利用させるための第４のコードのセットをさらに記録した、請求項１７に記載のコンピュータ読取可能な記録媒体。
【請求項１９】
前記コンピュータに対して、サポートされている第２のネットワーク・シグナル値のセットを備える受信された複数のオプション・ネットワーク・シグナル値から、前記優先度に基づいて、前記第２のネットワーク・シグナル値を選択させるための第４のコード・セットをさらに記録した請求項１７に記載のコンピュータ読取可能な記録媒体。
【請求項２０】
方法であって、
第１のネットワーク・シグナル値および第２のネットワーク・シグナル値を生成することと、ここで、前記第２のネットワーク・シグナル値は、付加的な、オプションの、スペクトル・エミッション・マスク（ＳＥＭ）に関連する、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、
メッセージ構造における前記第１および第２のネットワーク・シグナル値の順序に基づいて前記第２のネットワーク・シグナル値に関連する優先度を定義することと、ここで、前記優先度は、前記メッセージ構造において暗黙的である、
を備える方法。
【請求項２１】
前記生成することは、
複数のモバイル・デバイスのために前記第１のネットワーク・シグナル値を生成することと、
前記複数のモバイル・デバイスのサブセットのために前記第２のネットワーク・シグナル値を生成することとを備える、請求項２０に記載の方法。
【請求項２２】
前記第１のネットワーク・シグナル値が、モバイル・デバイスの第１のセットによってサポートされていることと、前記第２のネットワーク・シグナル値が、モバイル・デバイスの第２のセットによってサポートされていることとを判定することをさらに備え、
前記送信することは、前記モバイル・デバイスの第１のセットと、前記モバイル・デバイスの第２のセットとを備える複数のモバイル・デバイスへ、前記第１のネットワーク・シグナル値と前記第２のネットワーク・シグナル値とを送信することを備える、請求項２０に記載の方法。
【請求項２３】
前記定義することは、前記第１のネットワーク・シグナル値に割り当てられた優先度よりも高い優先度を、前記第２のネットワーク・シグナル値に割り当てることを備える、請求項２０に記載の方法。
【請求項２４】
少なくとも第３のネットワーク・シグナル値を、前記少なくとも１つのモバイル・デバイスへ伝送することをさらに備える、請求項２０に記載の方法。
【請求項２５】
通信装置であって、
第１のネットワーク・シグナル値および第２のネットワーク・シグナル値を生成することと、ここで、前記第２のネットワーク・シグナル値は、付加的な、オプションの、スペクトル・エミッション・マスク（ＳＥＭ）に関連する、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、メッセージ構造における前記第１および第２のネットワーク・シグナル値の順序に基づいて前記第２のネットワーク・シグナル値に関連付けられた優先度を定義することと、ここで、前記優先度は、前記メッセージ構造において暗黙的である、に関連する命令群を保持するメモリと、
前記メモリに接続され、前記メモリに保持された命令群を実行するように構成されたプロセッサと
を備える通信装置。
【請求項２６】
前記メモリはさらに、
複数のモバイル・デバイスのために前記第１のネットワーク・シグナル値を生成することと、
前記複数のモバイル・デバイスのサブセットのために前記第２のネットワーク・シグナル値を生成することと、に関連する命令群を保持する、請求項２５に記載の通信装置。
【請求項２７】
前記メモリはさらに、前記第１のネットワーク・シグナル値に割り当てられた優先度よりも高い優先度を、前記第２のネットワーク・シグナル値に割り当てることに関連する命令群を保持する、請求項２５に記載の通信装置。
【請求項２８】
前記メモリはさらに、少なくとも第３のネットワーク・シグナル値を、前記少なくとも１つのモバイル・デバイスへ伝送することに関連する命令群を保持する、請求項２５に記載の通信装置。
【請求項２９】
オプション・システム・パラメータ値をサポートする通信装置であって、
第１のネットワーク・シグナル値および第２のネットワーク・シグナル値を生成する手段と、ここで、前記第２のネットワーク・シグナル値は、付加的な、オプションの、スペクトル・エミッション・マスク（ＳＥＭ）に関連する、
前記第１のネットワーク・シグナル値および前記第２のネットワーク・シグナル値を、少なくとも１つのモバイル・デバイスへ送信する手段と、ここで、前記第１のネットワーク・シグナル値は、必須の値であり、前記第２のネットワーク・シグナル値は、オプションの値である、
メッセージ構造における前記第１および第２のネットワーク・シグナル値の順序に基づいて前記第２のネットワーク・シグナル値に関連する優先度を定義する手段と、ここで、前記優先度は、前記メッセージ構造において暗黙的である、
を備える通信装置。
【請求項３０】
前記生成する手段は、複数のモバイル・デバイスのための前記第１のネットワーク・シグナル値と、前記複数のモバイル・デバイスのサブセットのための前記第２のネットワーク・シグナル値とを生成する手段を備える、請求項２９に記載の通信装置。
【請求項３１】
コンピュータに対して、第１のネットワーク・シグナル値および第２のネットワーク・シグナル値を生成させるための第１のコードのセットと、ここで、前記第２のネットワーク・シグナル値は、付加的な、オプションの、スペクトル・エミッション・マスク（ＳＥＭ）に関連する、
前記コンピュータに対して、前記第１のネットワーク・シグナル値および前記第２のネットワーク・シグナル値を、少なくとも１つのモバイル・デバイスへ送信させるための第２のコードのセットと、ここで、前記第１のネットワーク・シグナル値は、必須の値であり、前記第２のネットワーク・シグナル値は、オプションの値である、
前記コンピュータに対して、メッセージ構造における前記第１および第２のネットワーク・シグナル値の順序に基づいて前記第２のネットワーク・シグナル値に関連する優先度を定義させるための第３のコードのセットと、ここで、前記優先度は、前記メッセージ構造において暗黙的である、
を記録したコンピュータ読取可能な記録媒体。
【請求項３２】
前記コンピュータに対して、複数のモバイル・デバイスのために前記第１のネットワーク・シグナル値を生成させ、前記複数のモバイル・デバイスのサブセットのために前記第２のネットワーク・シグナル値を生成させるための第４のコードのセットをさらに記録した、請求項３１に記載のコンピュータ読取可能な記録媒体。
【請求項３３】
前記コンピュータに対して、前記少なくとも１つのモバイル・デバイスへ前記優先度を送信させるための第４のコードのセットをさらに記録した、請求項３１に記載のコンピュータ読取可能な記録媒体。
【手続補正２】
【補正対象書類名】明細書
【補正対象項目名】０１１９
【補正方法】変更
【補正の内容】
【０１１９】
さらに、主題とする記載では、「典型的」という用語（およびその変形）は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、「典型的」という用語を用いることは、概念を具体的な方式で表すことが意図されている。
以下に、本願出願の当初の特許請求の範囲に記載された発明を付記する。
［Ｃ１］  方法であって、
アクセス・ポイントから、第１のネットワーク・シグナル値および第２のネットワーク・シグナル値を受信することと、
前記第１のネットワーク・シグナル値または前記第２のネットワーク・シグナル値を優先度に応じて利用することと、ここで、前記第１のネットワーク・シグナル値は、必須の値であり、前記第２のネットワーク・シグナル値は、オプションの値である、
を備える方法。
［Ｃ２］  前記利用することは、前記第２のネットワーク・シグナル値を、前記第１のネットワーク・シグナル値とともに、または、代わりに利用することを備える、Ｃ１に記載の方法。
［Ｃ３］  前記第２のネットワーク・シグナル値を利用することは、前記第２のネットワーク・シグナル値を、前記第１のネットワーク・シグナル値よりも高く優先度付けることを備える、Ｃ２に記載の方法。
［Ｃ４］  前記第２のネットワーク・シグナル値を利用する前に、前記第１のネットワーク・シグナル値がサポートされていないことを判定することをさらに備える、Ｃ２に記載の方法。
［Ｃ５］  前記第２のネットワーク・シグナル値に関連付けられた優先度を決定することと、
受信された複数のオプション・ネットワーク・シグナル値から、前記優先度に基づいて、前記第２のネットワーク・シグナル値を選択することと、
をさらに備える、Ｃ１に記載の方法。
［Ｃ６］  前記決定することは、前記優先度を、シグナルされた優先度値から決定することを備える、Ｃ５に記載の方法。
［Ｃ７］  前記決定することは、前記優先度を、シグナリング構造に基づいて決定することを備える、Ｃ５に記載の方法。
［Ｃ８］  前記受信された複数のオプション・ネットワーク・シグナル値は、サポートされている第２のネットワーク・シグナル値のセットを備える、Ｃ５に記載の方法。
［Ｃ９］  前記第２のネットワーク・シグナル値は、付加的な、オプションの、スペクトル・エミッション・マスク（ＳＥＭ）に関連する、Ｃ１に記載の方法。
［Ｃ１０］  通信装置であって、
アクセス・ポイントから、第１のネットワーク・シグナル値および第２のネットワーク・シグナル値を取得することと、
通信ネットワークにおける通信のために、前記第１のネットワーク・シグナル値または前記第２のネットワーク・シグナル値を、優先度に応じて適用することと、ここで、前記第１のネットワーク・シグナル値は、必須の値であり、前記第２のネットワーク・シグナル値は、オプションの値である、
に関連する命令群を保持するメモリと、
前記メモリに接続され、前記メモリに保持された命令群を実行するように構成されたプロセッサと、
を備える通信装置。
［Ｃ１１］  前記メモリはさらに、前記第２のネットワーク・シグナル値を、前記第１のネットワーク・シグナル値の代わりとして利用することに関連する命令群をさらに備える、Ｃ１０に記載の通信装置。
［Ｃ１２］  前記メモリはさらに、前記第２のネットワーク・シグナル値に、前記第１のネットワーク・シグナル値よりも高い優先度を割り当てることに関連する命令群を保持する、Ｃ１１に記載の通信装置。
［Ｃ１３］  前記メモリはさらに、前記第１のネットワーク・シグナル値がサポートされていない場合、前記第２のネットワーク・シグナル値を利用することに関連する命令群を備える、Ｃ１１に記載の通信装置。
［Ｃ１４］  前記メモリはさらに、
前記第２のネットワーク・シグナル値に関連付けられた優先度を決定することと、
受信された複数のオプション・ネットワーク・シグナル値から、前記優先度に基づいて、前記第２のネットワーク・シグナル値を選択することと、ここで、前記受信された複数のオプション・ネットワーク・シグナル値は、サポートされている第２のネットワーク・シグナル値のセットを備える、
に関連する命令群を保持する、Ｃ１０に記載の通信装置。
［Ｃ１５］  前記メモリはさらに、前記優先度を、シグナルされた優先度値に基づいて決定することに関連する命令群を保持する、Ｃ１０に記載の通信装置。
［Ｃ１６］  前記メモリはさらに、前記優先度を、シグナリング構造に基づいて決定することに関連する命令群を保持する、Ｃ１０に記載の通信装置。
［Ｃ１７］  オプション・システム・パラメータ値をサポートする通信装置であって、
アクセス・ポイントから、第１のネットワーク・シグナル値および第２のネットワーク・シグナル値を受信する手段と、
前記第１のネットワーク・シグナル値または前記第２のネットワーク・シグナル値を、優先度に応じて利用する手段とを備え、
前記第１のネットワーク・シグナル値は、必須の値であり、前記第２のネットワーク・シグナル値は、オプションの値であり、前記第２のネットワークは、前記第１のネットワーク・シグナル値よりも高い優先度が割り当てられる、通信装置。
［Ｃ１８］  前記利用する手段は、前記第１のネットワーク・シグナル値の代わりに、前記第２のネットワーク・シグナル値を用いる手段を備える、Ｃ１７に記載の通信装置。
［Ｃ１９］  前記第２のネットワーク・シグナル値に関連付けられた優先度を決定する手段と、
受信された複数のオプション・ネットワーク・シグナル値から、前記優先度に基づいて、前記第２のネットワーク・シグナル値を選択する手段とをさらに備え、
前記受信された複数のオプション・ネットワーク・シグナル値は、サポートされている第２のネットワーク・シグナル値のセットを備える、Ｃ１７に記載の通信装置。
［Ｃ２０］  前記決定する手段は、前記優先度を、シグナルされた優先度値から、または、シグナリング構造に基づいて決定する手段を備える、Ｃ１７に記載の通信装置。
［Ｃ２１］  コンピュータ・プログラム製品であって、
コンピュータに対して、アクセス・ポイントから、第１のネットワーク・シグナル値および第２のネットワーク・シグナル値を取得させるための第１のコードのセットと、
前記コンピュータに対して、優先度に応じて、前記第１のネットワーク・シグナル値または前記第２のネットワーク・シグナル値を適用させるための第２のコードのセットと、ここで、第１のネットワーク・シグナル値は、必須の値であり、第２のネットワーク・シグナル値は、オプションの値である、
を備えるコンピュータ読取可能媒体を備える、コンピュータ・プログラム製品。
［Ｃ２２］  前記コンピュータ読取可能媒体はさらに、
前記コンピュータに対して、前記第１のネットワーク・シグナル値とともに、または、その代わりに、前記第２のネットワーク・シグナル値を利用させるための第３のコードのセットを備える、Ｃ２１に記載のコンピュータ・プログラム製品。
［Ｃ２３］  前記コンピュータ読取可能媒体はさらに、
前記コンピュータに対して、前記第２のネットワーク・シグナル値に関連付けられた優先度を決定させるための第３のコード・セットと、
前記コンピュータに対して、サポートされている第２のネットワーク・シグナル値のセットを備える前記第２のネットワーク・シグナル値を、受信された複数のオプション・ネットワーク・シグナル値から、前記優先度に基づいて選択させるための第４のコード・セットと、
を備えるＣ２１に記載のコンピュータ・プログラム製品。
［Ｃ２４］  オプション・システム・パラメータ値をサポートするように構成された少なくとも１つのプロセッサであって、
アクセス・ポイントから、第１のネットワーク・シグナル値および第２のネットワーク・シグナル値を受信する第１のモジュールと、
優先度に応じて、前記第１のネットワーク・シグナル値または前記第２のネットワーク・シグナル値を利用する第２のモジュールとを備え、
前記第１のネットワーク・シグナル値は、必須の値であり、前記第２のネットワーク・シグナル値は、オプションの値であり、前記第１のネットワーク・シグナル値がサポートされていない場合、前記第２のネットワーク・シグナル値が利用される、少なくとも１つのプロセッサ。
［Ｃ２５］  前記第２のネットワーク・シグナル値に関連付けられた優先度を決定する第３のモジュールと、
受信された複数のオプション・ネットワーク・シグナル値から、前記優先度に基づいて、前記第２のネットワーク・シグナル値を選択する第４のモジュールと、
をさらに備えるＣ２４に記載の少なくとも１つのプロセッサ。
［Ｃ２６］  方法であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することとを備え、
前記第１のネットワーク・シグナル値は、必須の値であり、前記第２のネットワーク・シグナル値は、オプションの値である、方法。
［Ｃ２７］  前記生成することは、
複数のモバイル・デバイスのために前記第１のネットワーク・シグナル値を生成することと、
前記複数のモバイル・デバイスのサブセットのために前記第２のネットワーク・シグナル値を生成することとを備える、Ｃ２６に記載の方法。
［Ｃ２８］  前記第１のネットワーク・シグナル値が、モバイル・デバイスの第１のセットによってサポートされていることと、前記第２のネットワーク・シグナル値が、モバイル・デバイスの第２のセットによってサポートされていることとを判定することをさらに備え、
前記送信することは、前記モバイル・デバイスの第１のセットと、前記モバイル・デバイスの第２のセットとを備える複数のモバイル・デバイスへ、前記第１のネットワーク・シグナル値と前記第２のネットワーク・シグナル値とを送信することを備える、Ｃ２６に記載の方法。
［Ｃ２９］  前記第２のネットワーク・シグナル値に関連する優先度を定義することと、
前記少なくとも１つのモバイル・デバイスに前記優先度を送信することと
をさらに備える、Ｃ２６に記載の方法。
［Ｃ３０］  前記定義することは、メッセージ構造を確立することを備え、ここで、前記優先度は、前記メッセージ構造において暗黙的である、Ｃ２９に記載の方法。
［Ｃ３１］  前記定義することは、前記第１のネットワーク・シグナル値に割り当てられた優先度よりも高い優先度を、前記第２のネットワーク・シグナル値に割り当てることを備える、Ｃ２９に記載の方法。
［Ｃ３２］  少なくとも第３のネットワーク・シグナル値を、前記少なくとも１つのモバイル・デバイスへ伝送することをさらに備える、Ｃ２６に記載の方法。
［Ｃ３３］  前記第２のネットワーク・シグナル値は、付加的な、オプションの、スペクトル・エミッション・マスク（ＳＥＭ）に関連する、Ｃ２６に記載の方法。
［Ｃ３４］  通信装置であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、
に関連する命令群を保持するメモリと、
前記メモリに接続され、前記メモリに保持された命令群を実行するように構成されたプロセッサと
を備える通信装置。
［Ｃ３５］  前記メモリはさらに、
複数のモバイル・デバイスのために前記第１のネットワーク・シグナル値を生成することと、
前記複数のモバイル・デバイスのサブセットのために前記第２のネットワーク・シグナル値を生成することと、
に関連する命令群を保持する、Ｃ３４に記載の通信装置。
［Ｃ３６］  前記メモリはさらに、
前記第２のネットワーク・シグナル値に関連する優先度を定義することと、
前記少なくとも１つのモバイル・デバイスに前記優先度を送信することと
に関連する命令群を保持する、Ｃ３４に記載の通信装置。
［Ｃ３７］  前記メモリはさらに、前記第１のネットワーク・シグナル値に割り当てられた優先度よりも高い優先度を、前記第２のネットワーク・シグナル値に割り当てることに関連する命令群を保持する、Ｃ３４に記載の通信装置。
［Ｃ３８］  前記メモリはさらに、メッセージ構造を確立すること、ここで、優先度は、前記メッセージ構造において暗黙的である、に関連する命令群を保持する、Ｃ３５に記載の通信装置。
［Ｃ３９］  前記メモリはさらに、少なくとも第３のネットワーク・シグナル値を、前記少なくとも１つのモバイル・デバイスへ伝送することに関連する命令群を保持する、Ｃ３５に記載の通信装置。
［Ｃ４０］  オプション・システム・パラメータ値をサポートする通信装置であって、
第１のネットワーク・シグナル値および第２のネットワーク・シグナル値を生成する手段と、
前記第１のネットワーク・シグナル値および前記第２のネットワーク・シグナル値を、少なくとも１つのモバイル・デバイスへ送信する手段とを備え、
前記第１のネットワーク・シグナル値は、必須の値であり、前記第２のネットワーク・シグナル値は、オプションの値である、通信装置。
［Ｃ４１］  前記生成する手段は、複数のモバイル・デバイスのための前記第１のネットワーク・シグナル値と、複数のモバイル・デバイスのサブセットのための前記第２のネットワーク・シグナル値とを生成する手段を備える、Ｃ４０に記載の通信装置。
［Ｃ４２］  前記第２のネットワーク・シグナル値に関連する優先度を定義する手段と、
前記少なくとも１つのモバイル・デバイスに前記優先度を送る手段と
をさらに備える、Ｃ４０に記載の通信装置。
［Ｃ４３］  前記定義する手段は、メッセージ構造を確立する手段を備え、ここで、優先度は、前記メッセージ構造において暗黙的である、Ｃ４０に記載の通信装置。
［Ｃ４４］  コンピュータ・プログラム製品であって、
コンピュータに対して、第１のネットワーク・シグナル値および第２のネットワーク・シグナル値を生成させるための第１のコードのセットと、
前記コンピュータに対して、前記第１のネットワーク・シグナル値および前記第２のネットワーク・シグナル値を、少なくとも１つのモバイル・デバイスへ送信させるための第２のコードのセットと、ここで、前記第１のネットワーク・シグナル値は、必須の値であり、前記第２のネットワーク・シグナル値は、オプションの値である、
を備えるコンピュータ読取可能媒体を備える、コンピュータ・プログラム製品。
［Ｃ４５］  前記コンピュータ読取可能媒体はさらに、前記コンピュータに対して、複数のモバイル・デバイスのために前記第１のネットワーク・シグナル値を生成させ、前記複数のモバイル・デバイスのサブセットのために前記第２のネットワーク・シグナル値を生成させるための第３のコードのセットを備える、Ｃ４４に記載のコンピュータ・プログラム製品。
［Ｃ４６］  前記コンピュータ読取可能媒体はさらに、
前記コンピュータに対して、前記第２のネットワーク・シグナル値に関連する優先度を定義させるための第３のコードのセットと、
前記コンピュータに対して、前記少なくとも１つのモバイル・デバイスへ前記優先度を送信させるための第４のコードのセットと
を備える、Ｃ４４に記載のコンピュータ・プログラム製品。
［Ｃ４７］  前記コンピュータ読取可能媒体はさらに、
前記コンピュータに対して、メッセージ構造を確立させるための第３のコードのセットを備え、ここで、優先度は、前記メッセージ構造において暗黙的である、Ｃ４４に記載のコンピュータ・プログラム製品。
［Ｃ４８］  オプション・システム・パラメータ値をサポートするように構成された少なくとも１つのプロセッサであって、
第１のネットワーク・シグナル値および第２のネットワーク・シグナル値を定義する第１のモジュールと、
前記第１のネットワーク・シグナル値および前記第２のネットワーク・シグナル値を、少なくとも１つのモバイル・デバイスへ送信する第２のモジュールとを備え、
前記第１のネットワーク・シグナル値は、必須の値であり、前記第２のネットワーク・シグナル値は、オプションの値である、少なくとも１つのプロセッサ。
［Ｃ４９］  前記第１のモジュールは、複数のモバイル・デバイスのための前記第１のネットワーク・シグナル値を生成し、前記複数のモバイル・デバイスのサブセットのための前記第２のネットワーク・シグナル値を生成する、Ｃ４８に記載の少なくとも１つのプロセッサ。
［Ｃ５０］  前記第２のネットワーク・シグナル値に関連する優先度を割り当てる第３のモジュールと、
前記優先度を、前記少なくとも１つのモバイル・デバイスへ伝送する第４のモジュールとをさらに備える、Ｃ４８に記載の少なくとも１つのプロセッサ。
【外国語明細書】
2014212546000001.pdf